(57)【特許請求の範囲】
【請求項１】
始動手段への遊技球の入球を条件として図柄を変動させて行う図柄変動ゲームで予め定めた大当り表示結果が表示された後に、遊技者に有利となる大当り遊技が生起される遊技機において、
前記始動手段への遊技球の入球を条件として、図柄変動ゲームが大当りとなるかを特定可能な情報を生成する情報生成手段と、
前記図柄変動ゲームの開始を契機として、図柄変動ゲームが大当りとなるかを判定する大当り判定手段と、
演出を実行する演出実行手段と、
前記情報生成手段によって生成された情報に基づいて、当該情報に対応する特定図柄変動ゲームにおける大当り期待度を示す事前予告演出を実行させるか否かを決定する事前予告演出決定手段と、
前記事前予告演出決定手段によって前記事前予告演出を実行させると決定された場合、前記特定図柄変動ゲームよりも前に実行される図柄変動ゲームであって、かつ、実行が保留されている図柄変動ゲームの少なくとも何れかにおいて、前記事前予告演出を前記演出実行手段に実行させる制御を行う演出制御手段と、を備え、
前記事前予告演出には、第１事前予告演出と、前記第１事前予告演出よりも大当り期待度が高い第２事前予告演出とがあり、
１回の図柄変動ゲームにおける所定タイミングを基準として、前記第２事前予告演出の実行が開始可能な第２実行開始タイミングには、前記第１事前予告演出の実行が開始可能な第１実行開始タイミングよりも前のタイミングがあり、
前記演出制御手段は、前記事前予告演出決定手段によって前記第１事前予告演出と前記第２事前予告演出とを実行させると決定された場合には、前記第１事前予告演出の実行が開始される図柄変動ゲームよりも後に行われる図柄変動ゲームの前記第２実行開始タイミングで、前記演出実行手段に前記第２事前予告演出の実行を開始させる制御を行う遊技機。
【発明の詳細な説明】
【技術分野】
【０００１】
本発明は、図柄を変動させて行う図柄変動ゲームを表示する遊技機に関するものである。
【背景技術】
【０００２】
従来、遊技機の一種であるパチンコ機では、始動入賞口への遊技球の入球を契機に、図柄を変動させて行う図柄変動ゲームが行われ、その結果、大当りとなった場合には、多数の賞球が払い出される機会が与えられる。
【０００３】
この種のパチンコ遊技機では、遊技に対する興趣を向上させるために、様々な演出を行っているが、特許文献１の遊技機のように、実行が保留されている図柄変動ゲームを対象にして、大当りとなる可能性を示唆する事前予告演出を実行するものが開示されている。このようなパチンコ遊技機では、事前予告演出を実行することによって、実行が保留されている図柄変動ゲームに対する注意を持たせることができる。
【先行技術文献】
【特許文献】
【０００４】
【特許文献１】特開平３−７３１８０号公報
【発明の概要】
【発明が解決しようとする課題】
【０００５】
しかしながら、このような遊技機において、事前予告演出によって実行タイミングが予め定められており、大当り期待度の高い事前予告演出が実行された後に、それよりも大当り期待度の低い事前予告演出が実行されてしまうと、大当り期待度の低い事前予告演出に対する期待感も薄れてしまい、遊技に対する興趣の減退を招くおそれがあった。
【０００６】
この発明は、このような従来の技術に存在する問題点に着目してなされたものであり、その目的は、事前予告演出に対する期待感を高揚させることによって、遊技に対する興趣の向上を図ることができる遊技機を提供することにある。
【課題を解決するための手段】
【０００７】
上記問題点を解決する遊技機は、始動手段への遊技球の入球を条件として図柄を変動させて行う図柄変動ゲームで予め定めた大当り表示結果が表示された後に、遊技者に有利となる大当り遊技が生起される遊技機において、前記始動手段への遊技球の入球を条件として、図柄変動ゲームが大当りとなるかを特定可能な情報を生成する情報生成手段と、前記図柄変動ゲームの開始を契機として、図柄変動ゲームが大当りとなるかを判定する大当り判定手段と、演出を実行する演出実行手段と、前記情報生成手段によって生成された情報に基づいて、当該情報に対応する特定図柄変動ゲームにおける大当り期待度を示す事前予告演出を実行させるか否かを決定する事前予告演出決定手段と、前記事前予告演出決定手段によって前記事前予告演出を実行させると決定された場合、前記特定図柄変動ゲームよりも前に実行される図柄変動ゲームであって、かつ、実行が保留されている図柄変動ゲームの少なくとも何れかにおいて、前記事前予告演出を前記演出実行手段に実行させる制御を行う演出制御手段と、を備え、前記事前予告演出には、第１事前予告演出と、前記第１事前予告演出よりも大当り期待度が高い第２事前予告演出とがあり、１回の図柄変動ゲームにおける所定タイミングを基準として、前記第２事前予告演出の実行が開始可能な第２実行開始タイミングには、前記第１事前予告演出の実行が開始可能な第１実行開始タイミングよりも前のタイミングがあり、前記演出制御手段は、前記事前予告演出決定手段によって前記第１事前予告演出と前記第２事前予告演出とを実行させると決定された場合には、前記第１事前予告演出の実行が開始される図柄変動ゲームよりも後に行われる図柄変動ゲームの前記第２実行開始タイミングで、前記演出実行手段に前記第２事前予告演出の実行を開始させる制御を行うことを要旨とする。
【発明の効果】
【００１１】
本発明によれば、事前予告演出に対する期待感を高揚させることによって、遊技に対する興趣の向上を図ることができる。
【図面の簡単な説明】
【００１２】
【図１】パチンコ遊技機の表側を示す正面図。
【図２】パチンコ遊技機の大当りの種類を示す模式図。
【図３】パチンコ遊技機の電気的構成を示すブロック図。
【図４】リーチ確率を示す模式図。
【図５】先読み演出の種別を示す模式図。
【図６】（ａ）〜（ｊ）は、演出表示装置の表示態様を示す模式図。
【図７】（ａ）〜（ｊ）は、演出表示装置の表示態様を示す模式図。
【図８】（ａ）〜（ｊ）は、演出表示装置の表示態様を示す模式図。
【図９】（ａ）〜（ｊ）は、演出表示装置の表示態様を示す模式図。
【図１０】（ａ）〜（ｊ）は、演出表示装置の表示態様を示す模式図。
【図１１】（ａ）〜（ｅ）は、パチンコ遊技機の先読み演出の演出態様を示すタイミングチャート。
【図１２】（ａ）〜（ｅ）は、パチンコ遊技機の先読み演出の演出態様を示すタイミングチャート。
【図１３】先読みコマンド設定処理を示すフローチャート。
【図１４】（ａ）及び（ｂ）は、先読みコマンドを示す模式図。
【図１５】先読み演出決定処理を示すフローチャート。
【発明を実施するための形態】
【００１３】
以下、遊技機の一実施形態を図１〜図１５にしたがって説明する。
［第１実施形態］
図１に示すように、パチンコ遊技機１０には、遊技盤ＹＢが装備されている。遊技盤ＹＢには、パチンコ遊技機１０に装備されている発射ハンドルＨの回動操作によって、遊技球が発射される。
【００１４】
遊技盤ＹＢの略中央には、液晶ディスプレイ型の画像表示部ＧＨを有し、表示演出を行う演出実行手段としての演出表示装置１１が配設されている。演出表示装置１１では、複数の列（本実施形態では、３列）の装飾図柄を変動させて行う図柄変動ゲームと、当該図柄変動ゲームに関連する各種の表示演出が実行される。各列には、［１］〜［８］の８種類の数字の装飾図柄が表示される。そして、これら８種類の装飾図柄によって、各列の図柄列が構成されている。図柄変動ゲームは、遊技盤ＹＢに配設されている始動手段としての第１始動入球装置１４又は第２始動入球装置１５へ遊技球が入球することを契機に、実行される。
【００１５】
図柄変動ゲームでは、各列の装飾図柄として表示される装飾図柄の図柄組み合わせ（表示結果）が導出される。そして、大当り抽選に当選する場合、演出表示装置１１には、大当りの図柄組み合わせが確定停止表示される。また、大当り抽選に非当選する場合、演出表示装置１１には、はずれの図柄組み合わせが確定停止表示される。因みに、本実施形態において、大当りの図柄組み合わせは、全列の装飾図柄が同一の図柄組み合わせ（［７７７］等）である。また、本実施形態において、はずれの図柄組み合わせは、全列の装飾図柄が異なる図柄組み合わせ（［４２６］等）、又は１列の装飾図柄が他の２列の装飾図柄と異なる図柄組み合わせ（［３２３］等）である。
【００１６】
第１始動入球装置１４は、演出表示装置１１の下方に配設されている。また、第１始動入球装置１４は、当該第１始動入球装置１４へ遊技球が入球したことを検知可能な第１始動スイッチＳＷ１（図３に示す）を有している。第１始動入球装置１４へ遊技球が入球したことを条件として大当り抽選が行われる。
【００１７】
第２始動入球装置１５は、第１始動入球装置１４の下方に配設されている。第２始動入球装置１５は、開閉部材を有している。また、第２始動入球装置１５は、当該第２始動入球装置１５へ遊技球が入球したことを検知可能な第２始動スイッチＳＷ２（図３に示す）を有している。第２始動入球装置１５へ遊技球が入球したことを条件として大当り抽選が行われる。第２始動入球装置１５の開閉部材は、電動役物ソレノイドＳＯＬ１（図３に示す）の作動によって開状態と閉状態に変位可能に構成されている。そして、開閉部材が開状態となるとき第２始動入球装置１５の入口が拡大されて遊技球が入球し易い開放状態となる。一方、開閉部材が閉状態となるとき第２始動入球装置１５の入口は拡大されず遊技球が入球し難い閉鎖状態となる。また、第２始動入球装置には、所定色で発光可能な演出ランプＥＬが配設されている。
【００１８】
また、第１始動入球装置１４の右方には、大入賞扉１７を有する大入賞装置１８が配設されている。特別入賞手段としての大入賞装置１８は、当該大入賞装置１８へ遊技球が入球したことを検知可能なカウントスイッチＳＷ３（図３に示す）を有している。また、大入賞装置１８の大入賞扉１７は、大入賞ソレノイドＳＯＬ２（図３に示す）の作動によって開状態と閉状態に変位可能に構成されている。そして、大入賞扉１７が開状態となるとき大入賞装置１８が開放状態となり、大入賞装置１８への遊技球の入球が許容される。一方、大入賞扉１７が閉状態となるとき大入賞装置１８が閉鎖状態となり、大入賞装置１８への遊技球の入球が許容されない。
【００１９】
パチンコ遊技機１０では、大当り抽選に当選した場合、当該当選の対象となる図柄変動ゲームの終了後に、大入賞装置１８が開放状態となる大当り遊技が生起される。大当り遊技が開始すると、最初に大当り遊技の開始を示すオープニング演出が行われる。オープニング演出の終了後には、大入賞装置１８が開放されるラウンド遊技が予め定めた規定ラウンド数を上限として複数回行われる。１回のラウンド遊技は、大入賞装置１８の開閉が所定回数（本実施形態では１回）行われる迄であり、１回のラウンド遊技中に大入賞装置１８に、規定個数（入賞上限個数）の遊技球が入賞する迄の間、又は規定時間（ラウンド遊技時間）が経過するまでの間、開放される。大入賞装置１８へ遊技球が入球すると、予め決められた個数の遊技球が賞球として払い出される。ラウンド遊技では、ラウンド演出が行われる。そして、規定ラウンド数のラウンド遊技が終了すると、大当り遊技の終了を示すエンディング演出が行われ、大当り遊技は終了される。
【００２０】
また、演出表示装置１１の右方には、作動ゲート１９が配設されている。作動ゲート１９は、当該作動ゲート１９へ遊技球が入球したことを検知可能なゲートスイッチＳＷ４（図３に示す）を有している。作動ゲート１９に遊技球が入球すると、普通当りか否かを決めるための普通当り抽選が行われる。普通当り抽選に当選すると、所定時間の経過後、第２始動入球装置１５が開放状態となる普通当り遊技が生起される。
【００２１】
また、遊技盤ＹＢには、ＬＥＤ等の発光部材が複数配置された発光部配置部材ＨＳが配設されている。発光部配置部材ＨＳには、特別図柄表示装置１２、保留表示装置１３及び普通図柄表示装置２０が配設されている。各表示装置１２，１３，２０は、複数の発光部材によって構成されている。
【００２２】
表示手段としての特別図柄表示装置１２には、当該特別図柄表示装置１２を構成する発光部材の点灯及び消灯の組み合わせによる特別図柄が、図柄変動ゲームが終了するタイミングで停止して表示される。大当り抽選に当選した場合、特別図柄表示装置１２には、大当り図柄に分類される特別図柄が停止して表示される。一方、大当り抽選に非当選した場合、特別図柄表示装置１２には、はずれ図柄に分類される特別図柄が停止して表示される。また、図柄変動ゲームの実行中、特別図柄表示装置１２には、特別図柄が変動して表示される。
【００２３】
また、パチンコ遊技機１０は、図柄変動ゲームの実行を保留可能に構成されている。そして、保留表示装置１３では、当該保留表示装置１３を構成する発光部材の点灯や点滅、消灯によって、実行が保留されている図柄変動ゲームの回数（以下、「保留記憶数」という）が示される。
【００２４】
また、普通図柄表示装置２０には、当該普通図柄表示装置２０を構成する発光部材の点灯及び消灯の組み合わせによる普通図柄が停止して表示される。普通当り抽選に当選した場合、普通図柄表示装置２０には、普通図柄が所定時間変動して表示された後、普通当り図柄に分類される普通図柄が停止して表示される。一方、普通当り抽選に非当選した場合、普通図柄表示装置２０には、普通図柄が所定時間変動して表示された後、普通はずれ図柄に分類される普通図柄が停止して表示される。
【００２５】
また、パチンコ遊技機１０は、大当り抽選の当選確率が通常よりも高確率となる高確率抽選状態（以下、「確変状態」と示す）を生起可能に構成されている。確変状態は、確変状態の終了条件が成立するまでの間、継続して生起される。本実施形態における確変状態の終了条件は、大当り遊技が生起されること又は大当り抽選に当選することなく予め定められた確変上限回数の図柄変動ゲームの実行が終了することによって成立する。
【００２６】
また、パチンコ遊技機１０は、第２始動入球装置１５へ遊技球が通常よりも入球し易くなる入球率向上状態を生起可能に構成されている。入球率向上状態の生起中、入球率向上状態が生起されていないときと比較して、単位時間あたりに第２始動入球装置１５が開放状態となる機会（回数や時間）を増加させることで、第２始動入球装置１５へ遊技球が入球する確率を高めている。入球率向上状態は、入球率向上状態の終了条件が成立するまでの間、継続して生起される。本実施形態における入球率向上状態の終了条件は、大当り遊技が生起されること又は大当り抽選に当選することなく予め定められた作動回数の図柄変動ゲームの実行が終了することによって成立する。
【００２７】
また、パチンコ遊技機１０では、大当り抽選に当選した場合、大当り図柄の種類に対応する大当りの種類が所定の確率で決定され、大当りの種類に基づく大当り遊技が生起される。
【００２８】
図２に示すように、本実施形態において、大当りの種類としては、規定ラウンド数が１２回に設定された１２Ｒ大当り遊技が付与される１２Ｒ大当り（図柄ＺＡ）と、規定ラウンド数が２回に設定された２Ｒ大当り遊技が付与される２Ｒ大当り（図柄ＺＢ）とが含まれている。また、大当りの種類に拘わらず、大当りに当選した場合には、大当り遊技の終了後に、確変状態と入球率向上状態（図中では変短状態と示す）との両方が生起される。本実施形態では、大当り遊技の終了後に、予め定められた確変上限回数の図柄変動ゲームを上限として確変状態が生起され、予め定められた作動回数の図柄変動ゲームを上限として入球率向上状態が生起される。なお、１２Ｒ大当りは、２Ｒ大当りと比較して、大入賞装置１８の合計の開放時間が長くなる有利な１２Ｒ大当り遊技が付与されるので、遊技者にとって有利な大当りといえる。
【００２９】
次に、図３を参照してパチンコ遊技機１０の制御構成について説明する。
パチンコ遊技機１０の裏側には、パチンコ遊技機１０全体を制御する主制御基板３０が装着されている。主制御基板３０は、パチンコ遊技機１０全体を制御するための各種処理を実行するとともに、該処理結果に応じた各種の制御信号を出力する。また、パチンコ遊技機１０の裏側には、演出制御基板３１が装着されている。演出制御基板３１は、主制御基板３０が出力した制御信号に基づき、演出表示装置１１の表示態様を制御する。
【００３０】
図３に示すように、主制御基板３０には、制御動作を所定の手順で実行する主制御用ＣＰＵ３０ａ、主制御用ＣＰＵ３０ａの制御プログラムを格納する主制御用ＲＯＭ３０ｂ及び必要なデータの書き込み及び読み出しができる主制御用ＲＡＭ３０ｃが設けられている。
【００３１】
主制御用ＣＰＵ３０ａには、各種スイッチＳＷ１〜ＳＷ４が接続されている。各種スイッチＳＷ１〜ＳＷ４は、各種スイッチが遊技球を検知した際に出力する検知信号を主制御用ＣＰＵ３０ａが入力できるように、主制御用ＣＰＵ３０ａに接続されている。また、主制御用ＣＰＵ３０ａには、特別図柄表示装置１２、保留表示装置１３及び普通図柄表示装置２０が接続されている。また、主制御用ＣＰＵ３０ａには、電動役物ソレノイドＳＯＬ１及び大入賞ソレノイドＳＯＬ２が接続されている。
【００３２】
主制御用ＲＯＭ３０ｂには、複数種類の変動パターンが記憶されている。変動パターンは、図柄変動ゲームが開始してから当該図柄変動ゲームが終了するまでの変動時間を特定し得る。また、変動パターンは、演出表示装置１１にて行われる演出の演出内容を特定し得る。変動パターンには、大当りのときに決定される大当り演出用の変動パターンと、はずれのときに決定されるリーチ演出を演出内容に含むはずれリーチ演出用の変動パターンと、はずれのときに決定されるリーチ演出を演出内容に含まないはずれ演出用の変動パターンとがある。本実施形態の大当り演出用の変動パターンには、リーチ演出が演出内容に含まれている。
【００３３】
また、主制御用ＲＯＭ３０ｂには、各種の判定値が記憶されている。例えば、主制御用ＲＯＭ３０ｂには、大当り抽選で用いられる大当り判定値が記憶されている。確変状態が生起されているときの大当り判定値の個数は、確変状態が生起されていないときの大当り判定値の個数よりも多くなっている。また、主制御用ＲＯＭ３０ｂには、普通当り抽選で用いられる普通当り判定値が記憶されている。また、主制御用ＲＯＭ３０ｂには、リーチ演出を実行するか否かを決定するリーチ演出抽選で用いられるリーチ判定値が記憶されている。
【００３４】
主制御用ＲＡＭ３０ｃには、パチンコ遊技機１０の動作中に適宜書き換えられる各種情報（乱数値、タイマ値、フラグ等）が記憶される。例えば、主制御用ＲＡＭ３０ｃには、確変状態の生起中であるか否かを示す主高確フラグが記憶される。また、主制御用ＲＡＭ３０ｃには、入球率向上状態の生起中であるか否かを示す主作動フラグが記憶される。
【００３５】
また、主制御基板３０内では、大当り判定用乱数や、特別図柄振分用乱数、リーチ判定用乱数、変動パターン振分用乱数として使用される各種乱数が生成される。因みに、大当り判定用乱数は、大当り抽選に用いる乱数である。リーチ判定用乱数は、リーチ演出抽選に用いる乱数である。特別図柄振分用乱数は、大当りの種類を決定する際に用いる乱数である。変動パターン振分用乱数は、変動パターンを決定する際に用いる乱数である。変動パターン振分用乱数の取り得る値は、はずれ演出用の変動パターン、はずれリーチ演出用の変動パターン及び大当り演出用の変動パターンで各別に、変動パターン毎に振り分けられている。
【００３６】
演出制御基板３１には、制御動作を所定の手順で実行する演出制御用ＣＰＵ３１ａと、演出制御用ＣＰＵ３１ａの制御プログラムを格納する演出制御用ＲＯＭ３１ｂと、必要なデータの書き込み及び読み出しができる演出制御用ＲＡＭ３１ｃが設けられている。
【００３７】
演出制御手段としての演出制御用ＣＰＵ３１ａには、演出表示装置１１が接続されている。演出制御用ＲＯＭ３１ｂには、各種画像表示データ（装飾図柄、背景画像、文字等の画像データ）が記憶されている。演出制御用ＲＡＭ３１ｃには、パチンコ遊技機１０の動作中に適宜書き換えられる各種情報（乱数値、タイマ値、フラグ等）が記憶される。例えば、演出制御用ＲＡＭ３１ｃには、確変状態の生起中であるか否かを示す副高確フラグが記憶される。また、演出制御用ＲＡＭ３１ｃには、入球率向上状態の生起中であるか否かを示す副作動フラグが記憶される。また、演出制御基板３１には、演出ランプＥＬが接続されている。
【００３８】
以下、主制御基板３０及び演出制御基板３１が実行する制御内容を説明する。
まず、主制御基板３０の主制御用ＣＰＵ３０ａが、メイン制御プログラムに基づき実行する各種処理について説明する。本実施形態において主制御用ＣＰＵ３０ａは、所定の制御周期毎に、各種処理を実行する。
【００３９】
最初に、特別図柄入力処理について説明する。
主制御用ＣＰＵ３０ａは、各始動スイッチＳＷ１，ＳＷ２が出力する検知信号を入力すると、主制御用ＲＡＭ３０ｃに記憶されている保留記憶数が上限数（本実施形態では、「４」）未満であるか否かの保留判定を行う。保留判定の判定結果が肯定の場合、主制御用ＣＰＵ３０ａは、保留記憶数を１加算し、保留記憶数を書き換える。更に、主制御用ＣＰＵ３０ａは、１加算後の保留記憶数を表すように保留表示装置１３の表示内容を制御する。
【００４０】
また、保留判定を肯定判定した主制御用ＣＰＵ３０ａは、主制御基板３０内で生成されている各種乱数（大当り判定用乱数、リーチ判定用乱数、特別図柄振分用乱数及び変動パターン振分用乱数）の値を取得し、その値を保留記憶数に対応付けられた主制御用ＲＡＭ３０ｃの記憶領域に記憶（格納）する。このように、保留記憶数に対応付けて各種乱数の値を主制御用ＲＡＭ３０ｃに記憶することにより、図柄変動ゲームの実行が保留される。なお、本実施形態において、大当り判定用乱数などの値を取得する主制御用ＣＰＵ３０ａが乱数取得手段として機能し、取得した大当り判定用乱数などを始動保留球に対応付けて記憶する主制御用ＲＡＭ３０ｃが保留記憶手段として機能する。
【００４１】
次に、特別図柄開始処理について説明する。
主制御用ＣＰＵ３０ａは、図柄変動ゲームの実行中又は大当り遊技の生起中か否かの実行条件判定を実行する。実行条件判定の判定結果が肯定の場合、主制御用ＣＰＵ３０ａは、特別図柄開始処理を終了する。一方、実行条件判定の判定結果が否定の場合、主制御用ＣＰＵ３０ａは、保留記憶数を読み出し、当該保留記憶数が「０（零）」よりも大きいか否かの保留数判定を実行する。保留数判定の判定結果が否定の場合、主制御用ＣＰＵ３０ａは、特別図柄開始処理を終了する。
【００４２】
一方、保留数判定の判定結果が肯定の場合、主制御用ＣＰＵ３０ａは、保留記憶数から１減算し、主制御用ＲＡＭ３０ｃの保留記憶数「１」に対応する記憶領域に記憶されている各種乱数（大当り判定用乱数、リーチ判定用乱数、特別図柄振分用乱数及び変動パターン振分用乱数）の値を読み出す。更に、主制御用ＣＰＵ３０ａは、１減算後の保留記憶数を表すように保留表示装置１３の表示内容を変更させる。
【００４３】
また、各種乱数の値を読み出した主制御用ＣＰＵ３０ａは、読み出した大当り判定用乱数の値が、大当り判定値と一致するか否かを判定して大当り判定（大当り抽選）を行う。このとき、主制御用ＣＰＵ３０ａは、確変状態の生起中であるか否かに応じた大当り判定値を用いて大当り抽選を行う。本実施形態において、図柄変動ゲームが大当りとなるか否かを判定する主制御用ＣＰＵ３０ａが、大当り判定手段として機能する。
【００４４】
そして、大当り抽選に当選した場合、主制御用ＣＰＵ３０ａは、大当りとなる図柄変動ゲームを実行させるための大当り変動処理を実行する。大当り変動処理において主制御用ＣＰＵ３０ａは、読み出した特別図柄振分用乱数の値に基づいて、大当りの種類を決定する。本実施形態では、主制御用ＣＰＵ３０ａは、大当り図柄を決定することにより、特別図柄表示装置１２に停止して表示させる大当り図柄と大当りの種類を決定する。また、主制御用ＣＰＵ３０ａは、読み出した変動パターン振分用乱数の値に基づき、複数種類の大当り演出用の変動パターンの中から変動パターンを決定する。そして、主制御用ＣＰＵ３０ａは、大当り変動処理において変動パターンを決定すると、特別図柄開始処理を終了する。
【００４５】
一方、大当り抽選に非当選した場合、主制御用ＣＰＵ３０ａは、読み出したリーチ判定用乱数の値が、リーチ判定値と一致するか否かを判定してリーチ演出判定（リーチ演出抽選）を行う。リーチ演出抽選に当選した場合、主制御用ＣＰＵ３０ａは、リーチ演出を実行した後にはずれとなる図柄変動ゲームを実行させるためのはずれリーチ変動処理を実行する。はずれリーチ変動処理において主制御用ＣＰＵ３０ａは、特別図柄表示装置１２にはずれ図柄を停止して表示させることを決定する。その後、主制御用ＣＰＵ３０ａは、読み出した変動パターン振分用乱数の値に基づき、複数種類のはずれリーチ演出用の変動パターンの中から変動パターンを決定する。そして、主制御用ＣＰＵ３０ａは、はずれリーチ変動処理において変動パターンを決定すると、特別図柄開始処理を終了する。
【００４６】
また、リーチ演出抽選に非当選した場合、主制御用ＣＰＵ３０ａは、リーチ演出を実行することなくはずれとなる図柄変動ゲームを実行させるためのはずれ通常変動処理を実行する。はずれ通常変動処理において主制御用ＣＰＵ３０ａは、特別図柄表示装置１２にはずれ図柄を停止して表示させることを決定する。その後、主制御用ＣＰＵ３０ａは、読み出した変動パターン振分用乱数の値に基づき、複数種類のはずれ演出用の変動パターンの中から変動パターンを決定する。そして、主制御用ＣＰＵ３０ａは、はずれ通常変動処理において変動パターンを決定すると、特別図柄開始処理を終了する。
【００４７】
また、特別図柄開始処理において特別図柄及び変動パターンを決定した主制御用ＣＰＵ３０ａは、決定した内容にしたがって生成した制御コマンドを所定のタイミングで演出制御用ＣＰＵ３１ａに出力する。具体的に、主制御用ＣＰＵ３０ａは、変動パターンを指定するとともに図柄変動ゲームの開始を指示する変動パターン指定コマンドを図柄変動ゲームの開始に際して出力するとともに、特別図柄開始処理にて決定した特別図柄を指定する特別図柄指定コマンドを演出制御用ＣＰＵ３１ａに出力する。そして、主制御用ＣＰＵ３０ａは、指示した変動パターンに定められている変動時間の経過時に図柄変動ゲームの終了を指示する全図柄停止コマンドを前記変動時間の経過に伴って出力するとともに、決定した特別図柄を停止して表示させるように特別図柄表示装置１２の表示内容を制御する。
【００４８】
また、主制御用ＣＰＵ３０ａは、大当り抽選に当選した場合、当該大当り抽選の当選対象となる図柄変動ゲームの終了後、大入賞装置１８の開放状態及び閉鎖状態を制御し、大当り遊技を生起させる。
【００４９】
また、主制御用ＣＰＵ３０ａは、主高確フラグや主作動フラグ等の各種情報の管理によって、遊技状態を制御する。具体的に、確変状態を生起させるとき、主制御用ＣＰＵ３０ａは、確変状態の生起中であることを示す情報を主高確フラグに設定するとともに、確変状態が継続可能な図柄変動ゲームの確変上限回数を計数するための情報を確変カウンタに設定する。主制御用ＣＰＵ３０ａは、確変状態が生起されているとき、図柄変動ゲームの実行に伴って確変カウンタを更新するとともに、確変カウンタの値を示す確変回数指定コマンドを演出制御用ＣＰＵ３１ａに出力する。主制御用ＣＰＵ３０ａは、確変カウンタの値に基づいて、確変状態が生起されてから実行された図柄変動ゲームの回数が確変上限回数に達したか否かを判定する。主制御用ＣＰＵ３０ａは、確変状態が生起されてから実行された図柄変動ゲームの回数が確変上限回数に達したと判定した場合、確変状態の生起中でないことを示す情報を主高確フラグに設定する。
【００５０】
入球率向上状態を生起させるとき、主制御用ＣＰＵ３０ａは、入球率向上状態の生起中であることを示す情報を主作動フラグに設定するとともに、入球率向上状態が継続可能な図柄変動ゲームの上限回数となる作動回数を示す情報を作動カウンタに設定する。主制御用ＣＰＵ３０ａは、入球率向上状態が生起されているとき、図柄変動ゲームの実行に伴って作動カウンタを更新するとともに、作動カウンタの値を示す作動回数指定コマンドを演出制御用ＣＰＵ３１ａに出力する。主制御用ＣＰＵ３０ａは、作動カウンタの値に基づいて、入球率向上状態が生起されてから実行された図柄変動ゲームの回数が作動回数に達したか否かを判定する。主制御用ＣＰＵ３０ａは、入球率向上状態が生起されてから実行された図柄変動ゲームの回数が作動回数に達したと判定した場合、入球率向上状態の生起中でないことを示す情報を主作動フラグに設定する。
【００５１】
このように、主制御用ＣＰＵ３０ａは、大当り遊技の終了後に確変状態や入球率向上状態が生起されると、大当り抽選に当選することなく、所定回数の図柄変動ゲームの実行が終了したときには、確変状態や入球率向上状態が生起されない状態に制御する。
【００５２】
次に、演出制御基板３１の演出制御用ＣＰＵ３１ａが制御プログラムに基づき実行する各種の処理について説明する。
演出制御基板３１の演出制御用ＣＰＵ３１ａは、特別図柄指定コマンドを入力すると、当該コマンドの指示内容に応じて演出表示装置１１に確定停止表示させる装飾図柄の図柄組み合わせを決定する。具体的に、演出制御用ＣＰＵ３１ａは、大当り図柄が指定された場合、大当りの図柄組み合わせの中から確定停止表示させる装飾図柄の図柄組み合わせを決定する。また、演出制御用ＣＰＵ３１ａは、はずれ図柄が指定された場合、はずれの図柄組み合わせの中から確定停止表示させる装飾図柄の図柄組み合わせを決定する。
【００５３】
演出制御用ＣＰＵ３１ａは、変動パターン指定コマンドを入力すると、各列の装飾図柄を変動表示させて図柄変動ゲームを開始するように、演出表示装置１１の表示内容を制御する。そして、演出制御用ＣＰＵ３１ａは、全図柄停止コマンドを入力すると、確定停止表示させると決定した装飾図柄の図柄組み合わせを確定停止表示させるように、演出表示装置１１の表示内容を制御する。
【００５４】
また、演出制御用ＣＰＵ３１ａは、大当り遊技が生起されると、当該大当り遊技が終了するまでの間、所定の大当り演出を実行するように、演出表示装置１１の表示態様を制御する。
【００５５】
また、演出制御用ＣＰＵ３１ａは、副高確フラグや副作動フラグ等の各種情報の管理によって、遊技状態を特定できるように制御する。具体的に、大当り遊技の終了後に確変状態が生起されるとき、演出制御用ＣＰＵ３１ａは、確変状態の生起中であることを特定可能な情報を副高確フラグに設定する。演出制御用ＣＰＵ３１ａは、確変回数指定コマンドが入力されると、確変回数指定コマンドにより指定される確変カウンタの値を演出制御用ＲＡＭ３１ｃの所定領域に設定し、確変カウンタの値に基づいて、確変状態が生起されてから実行された図柄変動ゲームの回数が確変上限回数に達したか否かを判定する。演出制御用ＣＰＵ３１ａは、確変状態が生起されてから実行された図柄変動ゲームの回数が確変上限回数に達したと判定した場合、確変状態の生起中でないことを特定可能な情報を副高確フラグに設定する。
【００５６】
また、大当り遊技の終了後に入球率向上状態が生起されるとき、演出制御用ＣＰＵ３１ａは、入球率向上状態の生起中であることを特定可能な情報を副作動フラグに設定する。演出制御用ＣＰＵ３１ａは、作動回数指定コマンドが入力されると、作動回数指定コマンドにより指定される作動カウンタの値を演出制御用ＲＡＭ３１ｃの所定領域に設定し、作動カウンタの値に基づいて、入球率向上状態が生起されてから実行された図柄変動ゲームの回数が作動回数に達したか否かを判定する。演出制御用ＣＰＵ３１ａは、入球率向上状態が生起されてから実行された図柄変動ゲームの回数が作動回数に達したと判定した場合、入球率向上状態の生起中でないことを特定可能な情報を副作動フラグに設定する。
【００５７】
ここで、図４を参照して本実施形態のパチンコ遊技機におけるリーチ演出抽選における抽選結果が肯定となるリーチ判定確率について説明する。このようなリーチ判定確率は、大当り判定に当選しなかった場合に参照される。
【００５８】
図４に示すように、現在の遊技状態、大当り遊技の終了後に実行される図柄変動ゲームの実行回数によって、リーチ判定確率が決定される。なお、本実施形態において、リーチ判定用乱数の取り得る数値は、「０」〜「２４０」までの全２４１通りの整数である。具体的に、現在の遊技状態が非入球率向上状態である場合には、大当り遊技の終了後における図柄変動ゲームの実行回数に拘わらず、リーチ判定値として「０」〜「１１」が規定されている。
【００５９】
現在の遊技状態が入球率向上状態である場合において、大当り遊技の終了後における図柄変動ゲームの実行回数が「１」〜「２０」であるときには、リーチ判定値として「０」〜「１１」が規定されている。また、現在の遊技状態が入球率向上状態である場合において、大当り遊技の終了後における図柄変動ゲームの実行回数が「２１」〜「１００」であるときには、リーチ判定値として「０」〜「２８」が規定されている。
【００６０】
このように、入球率向上状態においては、大当り遊技の終了後における図柄変動ゲームの実行回数によってリーチ判定が肯定となるか否かが異なるが、取得されたリーチ判定用乱数が、リーチ判定値の最低限の取り得る範囲（「０」〜「１１」）であると、図柄変動ゲームの実行回数に拘わらず、リーチ判定が肯定となる。また、取得されたリーチ判定用乱数が、リーチ判定値の最大範囲外（「２９」〜「２４０」）であると、図柄変動ゲームの実行回数に拘わらず、リーチ判定が否定となる。その一方で、取得されたリーチ判定用乱数が、リーチ判定値の最低限の取り得る範囲外で、最大範囲内（「１２」〜「２８」）であると、大当り遊技の終了後における図柄変動ゲームの実行回数によって、リーチ判定が肯定となるか否定となるかが異なることとなる。
【００６１】
また、本実施形態においては、遊技球の始動入賞による図柄変動ゲームの実行が保留されているときに、その始動入賞により始動保留球に対応して記憶された各種乱数からその図柄変動ゲームの大当り期待度についての事前判定が行われるとともに、その事前判定の結果に基づいて大当り期待度を示す先読み演出（事前予告演出）が実行可能である。
【００６２】
なお、事前判定の結果に基づいて先読み演出を実行させると決定した場合において、事前判定の対象であり、先読み演出により大当り期待度を示す対象となる図柄変動ゲームを「特定図柄変動ゲーム」と示す。また、先読み演出の実行が決定された後から、特定図柄変動ゲームの実行前において実行が開始される図柄変動ゲームのうち、先読み演出が実行される図柄変動ゲームを「非特定図柄変動ゲーム」と示す。言い換えると、この非特定図柄変動ゲームは、先読み演出の実行が決定されたときに、既に実行が保留されている図柄変動ゲームのうち、特定図柄変動ゲームを除いて、先読み演出が実行される図柄変動ゲームを示す。
【００６３】
この先読み演出には、その先読み演出の予告の対象とならない非特定図柄変動ゲームにおいて実行される保留時先読み演出と、先読み演出の予告の対象となる特定図柄変動ゲームにおいて実行される実行時先読み演出とが含まれている。
【００６４】
また、図５に示すように、本実施形態では、複数種類の先読み演出が実行可能である。具体的に、複数種類の先読み演出には、符号ＳＳ１で示す炎先読み演出、符号ＳＳ２で示す保留先読み演出、符号ＳＳ３で示す雷光先読み演出、符号ＳＳ４で示す図柄停止先読み演出、符号ＳＳ５で示すキャラクタ先読み演出が含まれている。なお、これら複数種類の先読み演出は、それぞれ演出種別毎に分類されており、それぞれ演出種別が異なるといえる。
【００６５】
炎先読み演出は、演出表示装置１１において、背景画像として炎画像が表示されるとともにその炎画像に重畳させてキャラクタが表示される先読み演出である。この炎先読み演出は、遊技球の始動入賞に伴って図柄変動ゲームの開始を契機として実行される演出であり、炎先読み演出が実行される図柄変動ゲームの実行回数によって特定図柄変動ゲームにおける大当り期待度を示す演出である。
【００６６】
保留先読み演出は、演出表示装置１１において、特定図柄変動ゲームにおける保留記憶数を示す保留画像が通常時の表示色とは異なる特定の表示色で表示される先読み演出である。この保留先読み演出は、遊技球の始動入賞に伴って実行される演出であり、保留画像の表示色という保留先読み演出の演出内容によって特定図柄変動ゲームにおける大当り期待度を示す演出である。
【００６７】
雷光先読み演出は、演出表示装置１１において、背景画像として雷光画像が表示された後に演出ランプＥＬが所定の表示色で点灯される先読み演出である。この雷光先読み演出は、遊技球の始動入賞に伴って図柄変動ゲームの開始を契機として実行される演出であり、演出ランプＥＬの表示色という雷光先読み演出の演出内容によって特定図柄変動ゲームにおける大当り期待度を示す演出である。
【００６８】
図柄停止先読み演出は、演出表示装置１１において、全ての装飾図柄が停止表示される場合に所定の表示態様で桜画像が舞い落ちるように表示される先読み演出である。この図柄停止先読み演出は、遊技球の始動入賞に伴って全ての装飾図柄が停止表示されるときに実行される演出であり、図柄停止先読み演出が実行される図柄変動ゲームの実行回数によって特定図柄変動ゲームにおける大当り期待度を示す演出である。
【００６９】
キャラクタ先読み演出は、演出表示装置１１において、背景画像として炎画像が表示されることなく、キャラクタが表示される先読み演出であり、炎先読み演出とは異なる演出である。このキャラクタ先読み演出は、遊技球の始動入賞に伴って図柄変動ゲームの開始を契機として実行される演出であり、キャラクタ先読み演出が実行される図柄変動ゲームの実行回数によって特定図柄変動ゲームにおける大当り期待度を示す演出である。
【００７０】
なお、本実施形態において、先読み演出の演出種別として、炎先読み演出及び保留先読み演出が実行される場合には、雷光先読み演出及び図柄停止先読み演出が実行される場合よりも特定図柄変動ゲームにおける大当り期待度が高くなるように規定されている。言い換えると、雷光先読み演出及び図柄停止先読み演出よりも特定図柄変動ゲームにおける大当り期待度が高い複数種類の先読み演出には、炎先読み演出と保留先読み演出とが含まれている。また、先読み演出の演出種別として、雷光先読み演出及び図柄停止先読み演出が実行される場合には、キャラクタ先読み演出が実行される場合よりも特定図柄変動ゲームにおける大当り期待度が高くなるように規定されている。また、炎先読み演出が実行される場合には、特定図柄変動ゲームにおいてリーチ演出が実行されることが確定する。本実施形態において、雷光先読み演出、図柄停止先読み演出、及びキャラクタ先読み演出のうち少なくとも何れかが第１事前予告演出に、炎先読み演出が第２事前予告演出に、保留先読み演出が第３事前予告演出にそれぞれ相当する。
【００７１】
また、本実施形態において、炎先読み演出及び図柄停止先読み演出のそれぞれには、図柄変動ゲームの実行の開始を基準として、１種類の実行開始タイミング（実行開始時期）が規定されている。一方、雷光先読み演出及びキャラクタ先読み演出のそれぞれには、図柄変動ゲームの実行の開始を基準として、複数種類の実行開始タイミングが規定されており、何れかの実行開始タイミングで雷光先読み演出及びキャラクタ先読み演出が実行される。なお、保留先読み演出については、始動入賞を契機として実行開始タイミングが規定されている。
【００７２】
ここで、図６〜図１０を参照して演出表示装置１１の画像表示部ＧＨに表示される画像の具体的な一例について説明する。
まず、図６を参照して炎先読み演出について説明する。図６（ａ）に示すように、画像表示部ＧＨにおいて、装飾図柄が変動表示されるとともに、保留画像ＨＧ１が表示されることにより、保留記憶数が「１」であることを示している。
【００７３】
そして、各始動入球装置１４，１５に遊技球が入賞した場合には、図６（ｂ）に示すように、画像表示部ＧＨにおいて、保留画像ＨＧ１，ＨＧ２が表示されることにより、保留記憶数が「２」であることを示している。なお、この各始動入球装置１４，１５への遊技球の入賞により、保留画像ＨＧ２に対応する図柄変動ゲームを先読み演出の対象となる特定図柄変動ゲームとして、炎先読み演出の実行が決定されたと仮定する。続いて、図６（ｃ）に示すように、装飾図柄がはずれ図柄として確定停止表示される場合がある。
【００７４】
次に、図６（ｄ）に示すように、画像表示部ＧＨにおいて、装飾図柄の変動表示が開始されると、１回の図柄変動ゲームが開始されるとともに、保留画像ＨＧ１が表示されることにより、保留記憶数が「１」であることを示している。
【００７５】
そして、図６（ｅ）に示すように、画像表示部ＧＨにおいて、背景画像として炎画像が表示されるとともに、キャラクタが所定時間に亘って表示される。続いて、図６（ｆ）に示すように、画像表示部ＧＨにおいて、装飾図柄がはずれ図柄として確定停止表示される場合があり、１回の図柄変動ゲームが終了する。なお、本実施形態において、装飾図柄がはずれ図柄として確定停止表示されるときには、背景画像としての炎画像の表示が継続されるが、キャラクタの表示が継続されずに消去される。
【００７６】
次に、図６（ｇ）に示すように、画像表示部ＧＨにおいて、装飾図柄の変動表示が開始されると、１回の図柄変動ゲームが開始されるとともに、保留画像が表示されずに、保留記憶数が「０」であることを示している。そして、画像表示部ＧＨにおいて、背景画像としての炎画像の表示が継続されるとともに、キャラクタが所定時間に亘って表示される。この場合には、１つ目のキャラクタが表示された後に、図６（ｈ）に示すように、２つ目のキャラクタが表示される。続いて、図６（ｉ）に示すように、画像表示部ＧＨにおいて、装飾図柄がリーチ状態を形成した後に、図６（ｊ）に示すように、装飾図柄が大当り図柄として確定停止表示される場合があり、１回の図柄変動ゲームが終了する。
【００７７】
この場合、炎先読み演出としては、１回の非特定図柄変動ゲームと１回の特定図柄変動ゲームとで実行されたが、この炎先読み演出が実行される図柄変動ゲームの実行回数によって、特定図柄変動ゲームにおける大当り期待度が示され、図柄変動ゲームの実行回数が大きいほど、大当り期待度が高くなる。また、炎先読み演出が実行される図柄変動ゲームの実行回数が増加することに伴って表示されるキャラクタの数が多くなる。つまり、言い換えると、炎先読み演出としては、表示されるキャラクタの数によって、特定図柄変動ゲームにおける大当り期待度が示され、キャラクタの数が多いほど、大当り期待度が高くなる。なお、本実施形態において、装飾図柄がリーチ状態を形成すると、背景画像としての炎画像の表示が継続されずにリーチ演出に対応する画像が表示される。
【００７８】
次に、図７を参照して保留先読み演出について説明する。図７（ａ）に示すように、画像表示部ＧＨにおいて、装飾図柄が変動表示されるとともに、保留画像ＨＧ１，ＨＧ２が表示されることにより、保留記憶数が「２」であることを示している。
【００７９】
そして、各始動入球装置１４，１５に遊技球が入賞した場合には、図７（ｂ）に示すように、画像表示部ＧＨにおいて、保留画像ＨＧ１〜ＨＧ３が表示されることにより、保留記憶数が「３」であることを示している。なお、この各始動入球装置１４，１５への遊技球の入賞により、保留画像ＨＧ３に対応する図柄変動ゲームを先読み演出の対象となる特定図柄変動ゲームとして、保留先読み演出の実行が決定されたと仮定する。この場合、保留画像ＨＧ３は、保留画像ＨＧ１，ＨＧ２のように通常時の表示色（白色）とは異なり、特定の表示色（緑色）で表示される。続いて、図７（ｃ）に示すように、装飾図柄がはずれ図柄として確定停止表示される場合がある。
【００８０】
次に、図７（ｄ）に示すように、画像表示部ＧＨにおいて、装飾図柄の変動表示が開始されると、１回の図柄変動ゲームが開始されるとともに、保留画像ＨＧ１，ＨＧ２が表示されることにより、保留記憶数が「２」であることを示している。この場合、保留画像ＨＧ２は、特定の表示色（緑色）で表示される。続いて、図７（ｅ）に示すように、装飾図柄がはずれ図柄として確定停止表示される場合がある。
【００８１】
次に、図７（ｆ）に示すように、画像表示部ＧＨにおいて、装飾図柄の変動表示が開始されると、１回の図柄変動ゲームが開始されるとともに、保留画像ＨＧ１が表示されることにより、保留記憶数が「１」であることを示している。この場合、保留画像ＨＧ１は、特定の表示色（緑色）で表示される。続いて、図７（ｇ）に示すように、装飾図柄がはずれ図柄として確定停止表示される場合がある。
【００８２】
次に、図７（ｈ）に示すように、画像表示部ＧＨにおいて、装飾図柄の変動表示が開始されると、１回の図柄変動ゲームが開始されるとともに、保留画像が表示されずに、保留記憶数が「０」であることを示している。そして、図７（ｉ）に示すように、画像表示部ＧＨにおいて、装飾図柄がリーチ状態を形成した後に、図７（ｊ）に示すように、装飾図柄が大当り図柄として確定停止表示される場合があり、１回の図柄変動ゲームが終了する。
【００８３】
この場合、保留先読み演出としては、特定図柄変動ゲームを示すとともに、その表示色が緑色として表示されることによって、特定図柄変動ゲームにおける大当り期待度が示される。具体的に、保留画像が赤色で表示される場合には、緑色で表示される場合よりも特定図柄変動ゲームにおける大当り期待度が高くなり、保留画像が緑色で表示される場合には、青色で表示される場合よりも特定図柄変動ゲームにおける大当り期待度が高くなる。
【００８４】
次に、図８を参照して雷光先読み演出について説明する。図８（ａ）に示すように、画像表示部ＧＨにおいて、装飾図柄が変動表示されるとともに、保留画像ＨＧ１が表示されることにより、保留記憶数が「１」であることを示している。
【００８５】
そして、各始動入球装置１４，１５に遊技球が入賞した場合には、図８（ｂ）に示すように、画像表示部ＧＨにおいて、保留画像ＨＧ１，ＨＧ２が表示されることにより、保留記憶数が「２」であることを示している。なお、この各始動入球装置１４，１５への遊技球の入賞により、保留画像ＨＧ２に対応する図柄変動ゲームを先読み演出の対象となる特定図柄変動ゲームとして、雷光先読み演出の実行が決定されたと仮定する。続いて、図８（ｃ）に示すように、装飾図柄がはずれ図柄として確定停止表示される場合がある。
【００８６】
次に、図８（ｄ）に示すように、画像表示部ＧＨにおいて、装飾図柄の変動表示が開始されると、１回の図柄変動ゲームが開始されるとともに、保留画像ＨＧ１が表示されることにより、保留記憶数が「１」であることを示している。
【００８７】
そして、図８（ｅ）に示すように、画像表示部ＧＨにおいて、背景画像として雷光画像が表示されるとともに、演出ランプＥＬが特定の表示色（青色）で点灯される。続いて、図８（ｆ）に示すように、画像表示部ＧＨにおいて、装飾図柄がはずれ図柄として確定停止表示される場合があり、１回の図柄変動ゲームが終了する。なお、本実施形態において、背景画像としての雷光画像の表示が継続されずに消去されるが、演出ランプＥＬの点灯が継続される。
【００８８】
次に、図８（ｇ）に示すように、画像表示部ＧＨにおいて、装飾図柄の変動表示が開始されると、１回の図柄変動ゲームが開始されるとともに、保留画像が表示されずに、保留記憶数が「０」であることを示している。そして、図８（ｈ）に示すように、画像表示部ＧＨにおいて、背景画像として雷光画像が再度表示されるとともに、演出ランプＥＬが特定の表示色（緑色）で点灯される。
【００８９】
続いて、図８（ｉ）に示すように、画像表示部ＧＨにおいて、装飾図柄がリーチ状態を形成した後に、図８（ｊ）に示すように、装飾図柄が大当り図柄として確定停止表示される場合があり、１回の図柄変動ゲームが終了する。
【００９０】
この場合、雷光先読み演出としては、演出ランプＥＬが青色、緑色として点灯されることによって、特定図柄変動ゲームにおける大当り期待度が示される。具体的に、演出ランプＥＬが赤色で点灯される場合には、緑色で点灯される場合よりも特定図柄変動ゲームにおける大当り期待度が高くなり、演出ランプＥＬが緑色で点灯される場合には、青色で点灯表示される場合よりも特定図柄変動ゲームにおける大当り期待度が高くなる。
【００９１】
次に、図９を参照して図柄停止先読み演出について説明する。図９（ａ）に示すように、画像表示部ＧＨにおいて、装飾図柄が変動表示されるとともに、保留画像ＨＧ１，ＨＧ２が表示されることにより、保留記憶数が「２」であることを示している。
【００９２】
そして、各始動入球装置１４，１５に遊技球が入賞した場合には、図９（ｂ）に示すように、画像表示部ＧＨにおいて、保留画像ＨＧ１〜ＨＧ３が表示されることにより、保留記憶数が「３」であることを示している。なお、この各始動入球装置１４，１５への遊技球の入賞により、保留画像ＨＧ３に対応する図柄変動ゲームを先読み演出の対象となる特定図柄変動ゲームとして、図柄停止先読み演出の実行が決定されたと仮定する。続いて、図９（ｃ）に示すように、装飾図柄がはずれ図柄として確定停止表示される場合がある。
【００９３】
次に、図９（ｄ）に示すように、画像表示部ＧＨにおいて、装飾図柄の変動表示が開始されると、１回の図柄変動ゲームが開始されるとともに、保留画像ＨＧ１，ＨＧ２が表示されることにより、保留記憶数が「２」であることを示している。続いて、図９（ｅ）に示すように、装飾図柄がはずれ図柄として確定停止表示される場合があり、装飾図柄の確定停止表示に伴って所定の表示態様で桜画像が舞い落ちるように表示される場合がある。
【００９４】
次に、図９（ｆ）に示すように、画像表示部ＧＨにおいて、装飾図柄の変動表示が開始されると、１回の図柄変動ゲームが開始されるとともに、保留画像ＨＧ１が表示されることにより、保留記憶数が「１」であることを示している。続いて、図９（ｇ）に示すように、装飾図柄がはずれ図柄として確定停止表示される場合があり、装飾図柄の確定停止表示に伴って所定の表示態様で桜画像が舞い落ちるように表示される場合がある。この場合、１回目の図柄停止先読み演出よりも舞い落ちる桜画像の数が多い表示態様で２回目の図柄停止先読み演出が実行される。
【００９５】
次に、図９（ｈ）に示すように、画像表示部ＧＨにおいて、装飾図柄の変動表示が開始されると、１回の図柄変動ゲームが開始されるとともに、保留画像が表示されずに、保留記憶数が「０」であることを示している。そして、図９（ｉ）に示すように、画像表示部ＧＨにおいて、装飾図柄がリーチ状態を形成した後に、図９（ｊ）に示すように、装飾図柄が大当り図柄として確定停止表示される場合があり、１回の図柄変動ゲームが終了する。なお、特定図柄変動ゲームにおいては、図柄停止先読み演出が実行されない。
【００９６】
この場合、図柄停止先読み演出としては、２回の非特定図柄変動ゲームで実行されたが、この図柄停止先読み演出が実行される図柄変動ゲームの実行回数によって、特定図柄変動ゲームにおける大当り期待度が示され、図柄変動ゲームの実行回数が大きいほど、特定図柄変動ゲームにおける大当り期待度が高くなる。また、図柄停止先読み演出が実行される図柄変動ゲームの実行回数が増加することに伴って桜画像の数が多くなる。つまり、言い換えると、図柄停止先読み演出としては、表示される桜画像の数によって、特定図柄変動ゲームにおける大当り期待度が示され、桜画像の数が多いほど、特定図柄変動ゲームにおける大当り期待度が高くなる。
【００９７】
最後に、図１０を参照してキャラクタ先読み演出について説明する。図１０（ａ）に示すように、画像表示部ＧＨにおいて、装飾図柄が変動表示されるとともに、保留画像ＨＧ１が表示されることにより、保留記憶数が「１」であることを示している。
【００９８】
そして、各始動入球装置１４，１５に遊技球が入賞した場合には、図１０（ｂ）に示すように、画像表示部ＧＨにおいて、保留画像ＨＧ１，ＨＧ２が表示されることにより、保留記憶数が「２」であることを示している。なお、この各始動入球装置１４，１５への遊技球の入賞により、保留画像ＨＧ２に対応する図柄変動ゲームを先読み演出の対象となる特定図柄変動ゲームとして、キャラクタ先読み演出の実行が決定されたと仮定する。続いて、図１０（ｃ）に示すように、装飾図柄がはずれ図柄として確定停止表示される場合がある。
【００９９】
次に、図１０（ｄ）に示すように、画像表示部ＧＨにおいて、装飾図柄の変動表示が開始されると、１回の図柄変動ゲームが開始されるとともに、保留画像ＨＧ１が表示されることにより、保留記憶数が「１」であることを示している。
【０１００】
そして、図１０（ｅ）に示すように、画像表示部ＧＨにおいて、キャラクタが所定時間に亘って表示される。続いて、図１０（ｆ）に示すように、画像表示部ＧＨにおいて、装飾図柄がはずれ図柄として確定停止表示される場合があり、１回の図柄変動ゲームが終了する。なお、本実施形態において、装飾図柄がはずれ図柄として確定停止表示されるときには、キャラクタの表示が継続されずに消去される。
【０１０１】
次に、図１０（ｇ）に示すように、画像表示部ＧＨにおいて、装飾図柄の変動表示が開始されると、１回の図柄変動ゲームが開始されるとともに、保留画像が表示されずに、保留記憶数が「０」であることを示している。そして、画像表示部ＧＨにおいて、図１０（ｈ）に示すように、１回目のキャラクタとは異なるキャラクタが所定時間に亘って表示される。続いて、図１０（ｉ）に示すように、画像表示部ＧＨにおいて、装飾図柄がリーチ状態を形成した後に、図１０（ｊ）に示すように、装飾図柄が大当り図柄として確定停止表示される場合があり、１回の図柄変動ゲームが終了する。
【０１０２】
この場合、キャラクタ先読み演出としては、１回の非特定図柄変動ゲームと１回の特定図柄変動ゲームとで実行されたが、このキャラクタ先読み演出が実行される図柄変動ゲームの実行回数によって、特定図柄変動ゲームにおける大当り期待度が示され、図柄変動ゲームの実行回数が大きいほど、特定図柄変動ゲームにおける大当り期待度が高くなる。また、キャラクタ先読み演出が実行される図柄変動ゲームの実行回数が増加することに伴って表示されるキャラクタが異なる。つまり、言い換えると、キャラクタ先読み演出としては、表示されるキャラクタの種類によって、特定図柄変動ゲームにおける大当り期待度が示される。
【０１０３】
次に、図１１及び図１２を参照して各種先読み演出の制御タイミングについて説明する。なお、図１１は、各種先読み演出が単独で実行される場合の制御タイミングを示し、図１２は、各種先読み演出が重複して実行される場合の制御タイミングを示す。
【０１０４】
図１１及び図１２に示すように、演出制御用ＲＯＭ３１ｂには、各種先読み演出毎に、実行を開始させる実行開始タイミングが規定されている。なお、図１１及び図１２においては、符号Ｔ１に示すタイミングで各始動入球装置１４，１５に遊技球が入賞した場合において（図中では「始動入賞」と示す）、符号Ｔ２又は符号Ｔ９に示すタイミングで、次回以降の図柄変動ゲームの実行が開始されるときを一例としている。
【０１０５】
図１１（ａ）に示すように、符号ＳＳ１で示す炎先読み演出では、符号Ｔ２に示すように次回以降の図柄変動ゲームの実行開始を基準として、所定時間が経過した符号Ｔ５に示すタイミングで実行が開始される。このように、図柄変動ゲームの実行が開始されるタイミングを基準として、炎先読み演出の実行が開始可能な実行開始タイミング（第２実行開始時期）が予め定められている。
【０１０６】
図１１（ｂ）に示すように、符号ＳＳ２で示す保留先読み演出では、符号Ｔ１に示すタイミングで、各始動入球装置１４，１５に遊技球が入賞したときに実行が開始される。このように、始動入賞されるタイミングが保留先読み演出の実行が開始可能な実行開始タイミング（第３実行開始時期）として予め定められている。
【０１０７】
図１１（ｃ）に示すように、符号ＳＳ３で示す雷光先読み演出では、符号Ｔ２に示すように次回の図柄変動ゲームの実行開始を基準として、所定時間が経過した符号Ｔ４又は符号Ｔ６に示すタイミングで実行が開始される。なお、符号Ｔ２に示すように次回の図柄変動ゲームの実行開始を基準として、符号Ｔ４に示すタイミングは、図１１（ａ）に示す符号Ｔ５に示すタイミングよりも前のタイミングであり、符号Ｔ６に示すタイミングは、図１１（ａ）に示す符号Ｔ５に示すタイミングよりも後のタイミングである。このように、図柄変動ゲームの実行が開始されるタイミングを基準として、雷光先読み演出の実行が開始可能な実行開始タイミング（第１実行開始時期）が予め定められている。特に、雷光先読み演出の実行が開始可能な実行開始タイミングは、炎先読み演出の実行が開始可能な実行開始タイミングの前後に予め定められている。
【０１０８】
図１１（ｄ）に示すように、符号ＳＳ４で示す図柄停止先読み演出では、符号Ｔ２に示すように次回の図柄変動ゲームの実行開始を基準として、所定時間が経過した符号Ｔ８に示すタイミングで実行が開始される。なお、符号Ｔ２に示すように次回の図柄変動ゲームの実行開始を基準として、符号Ｔ８に示すタイミングは、図１１（ｃ）に示す符号Ｔ６に示すタイミングよりも後のタイミングである。このように、図柄変動ゲームの実行が開始されるタイミングを基準として、図柄停止先読み演出の実行が開始可能な実行開始タイミング（第１実行開始時期）が予め定められている。特に、図柄停止先読み演出の実行が開始可能な実行開始タイミングは、炎先読み演出の実行が開始可能な実行開始タイミングの後に予め定められている。
【０１０９】
図１１（ｅ）に示すように、符号ＳＳ５で示すキャラクタ先読み演出では、符号Ｔ２に示すように次回の図柄変動ゲームの実行開始を基準として、所定時間が経過した符号Ｔ３又は符号Ｔ７に示すタイミングで実行が開始される。なお、符号Ｔ２に示すように次回の図柄変動ゲームの実行開始を基準として、符号Ｔ３に示すタイミングは、図１１（ｃ）に示す符号Ｔ４に示すタイミングよりも前のタイミングである。また、符号Ｔ２に示すように次回の図柄変動ゲームの実行開始を基準として、符号Ｔ７に示すタイミングは、図１１（ｃ）に示す符号Ｔ６に示すタイミングよりも後のタイミングであり、かつ、図１１（ｄ）に示す符号Ｔ８に示すタイミングよりも前のタイミングである。このように、図柄変動ゲームの実行が開始されるタイミングを基準として、キャラクタ先読み演出の実行が開始可能な実行開始タイミング（第１実行開始時期）が予め定められている。特に、キャラクタ先読み演出の実行が開始可能な実行開始タイミングは、炎先読み演出や雷光先読み演出の実行が開始可能な実行開始タイミングの前後に予め定められている。
【０１１０】
本実施形態において、各種の先読み演出の中から最大２種類の種別で先読み演出の実行が決定可能である。つまり、各始動入球装置１４，１５への遊技球の入賞に伴う先読み演出として、１種類又は２種類の先読み演出の実行が決定可能である。
【０１１１】
次に、図１２（ａ）に示すように、符号ＳＳ１で示す炎先読み演出と符号ＳＳ２で示す保留先読み演出との重複実行が決定された場合、符号Ｔ１に示すタイミングで、各始動入球装置１４，１５に遊技球が入賞したときに保留先読み演出の実行が開始される。そして、符号Ｔ２に示すように次回の図柄変動ゲームの実行開始を基準として、符号Ｔ５に示すタイミングで炎先読み演出の実行が開始される。
【０１１２】
このように、保留先読み演出については、何れの先読み演出と重複実行されても、各始動入球装置１４，１５に遊技球が入賞したときに実行が開始される。一方、炎先読み演出をはじめとして、保留先読み演出と重複実行される何れの先読み演出についても、規定されているタイミングのうち何れかで実行が開始される。
【０１１３】
次に、図１２（ｂ）に示すように、符号ＳＳ１で示す炎先読み演出と符号ＳＳ３で示す雷光先読み演出との重複実行が決定された場合、符号Ｔ２に示すように次回の図柄変動ゲームの実行開始を基準として、符号Ｔ４に示すタイミングで雷光先読み演出の実行が開始される。そして、同じ図柄変動ゲームの符号Ｔ５に示すタイミングで炎先読み演出の実行が開始される。なお、この場合、符号Ｔ６に示すタイミングでは雷光先読み演出の実行が開始されない。
【０１１４】
また、図１２（ｃ）に示すように、符号ＳＳ１で示す炎先読み演出と符号ＳＳ５で示すキャラクタ先読み演出との重複実行が決定された場合、符号Ｔ２に示すように次回の図柄変動ゲームの実行開始を基準として、符号Ｔ３に示すタイミングでキャラクタ先読み演出の実行が開始される。そして、同じ図柄変動ゲームの符号Ｔ５に示すタイミングで炎先読み演出の実行が開始される。なお、この場合、符号Ｔ７に示すタイミングではキャラクタ先読み演出の実行が開始されない。
【０１１５】
このように、炎先読み演出については、雷光先読み演出やキャラクタ先読み演出と重複実行されても、各始動入球装置１４，１５に遊技球が入賞した次回の図柄変動ゲームにおいて、規定されているタイミングで実行が開始される。一方、炎先読み演出と重複実行される雷光先読み演出やキャラクタ先読み演出については、各始動入球装置１４，１５に遊技球が入賞した次回の図柄変動ゲームにおいて、規定されているタイミングのうち、炎先読み演出の実行開始タイミングよりも前のタイミングで実行が開始される。なお、本実施形態において、炎先読み演出は、雷光先読み演出やキャラクタ先読み演出よりも特定図柄変動ゲームにおける大当り期待度が高い先読み演出の演出種別として規定されている。このように、特定図柄変動ゲームにおける大当り期待度が高い演出種別である炎先読み演出の実行が開始される実行開始タイミングは、特定図柄変動ゲームにおける大当り期待度が低い演出種別である雷光先読み演出やキャラクタ先読み演出の実行が開始される実行開始タイミングよりも後になる。
【０１１６】
また、図１２（ｄ）に示すように、符号ＳＳ３で示す雷光先読み演出と符号ＳＳ５で示すキャラクタ先読み演出との重複実行が決定された場合、符号Ｔ２に示すように次回の図柄変動ゲームの実行開始を基準として、符号Ｔ３に示すタイミングでキャラクタ先読み演出の実行が開始される。そして、同じ図柄変動ゲームの符号Ｔ４又は符号Ｔ６に示すタイミングで雷光先読み演出の実行が開始される。なお、この場合、符号Ｔ７に示すタイミングではキャラクタ先読み演出の実行が開始されない。
【０１１７】
このように、雷光先読み演出とキャラクタ先読み演出とが重複実行される場合も同じように、特定図柄変動ゲームにおける大当り期待度が高い雷光先読み演出の実行が開始される実行開始タイミングは、特定図柄変動ゲームにおける大当り期待度が低いキャラクタ先読み演出の実行が開始される実行開始タイミングよりも後になる。
【０１１８】
最後に、図１２（ｅ）に示すように、符号ＳＳ１で示す炎先読み演出と符号ＳＳ４で示す図柄停止先読み演出との重複実行が決定された場合、符号Ｔ２に示すように次回の図柄変動ゲームの実行開始を基準として、符号Ｔ８に示すタイミングで図柄停止先読み演出の実行が開始される。そして、符号Ｔ９に示すように更に次回の図柄変動ゲームの実行開始を基準として、符号Ｔ５に示すタイミングに相当する符号Ｔ１０に示すタイミングで炎先読み演出の実行が開始される。続いて、符号Ｔ９に示すように図柄変動ゲームの実行開始を基準として、符号Ｔ８に示すタイミングに相当する符号Ｔ１１に示すタイミングで図柄停止先読み演出の実行が開始される。なお、この場合、符号Ｔ２に示すように次回の図柄変動ゲームの実行開始を基準として、符号Ｔ５に示すタイミングで炎先読み演出の実行が開始されない。
【０１１９】
このように、図柄停止先読み演出については、何れの先読み演出と重複実行されても、各始動入球装置１４，１５に遊技球が入賞した次回の図柄変動ゲームにおいて、規定されているタイミングで実行が開始される。一方、炎先読み演出については、図柄停止先読み演出と重複実行されると、各始動入球装置１４，１５に遊技球が入賞した次々回の図柄変動ゲームにおいて、規定されているタイミングで実行が開始される。なお、本実施形態において、炎先読み演出は、図柄停止光先読み演出よりも特定図柄変動ゲームにおける大当り期待度が高い先読み演出の演出種別として規定されている。このように、特定図柄変動ゲームにおける大当り期待度が高い演出種別である炎先読み演出の実行が開始される実行開始タイミングは、特定図柄変動ゲームにおける大当り期待度が低い演出種別である図柄停止先読み演出の実行が開始される実行開始タイミングよりも後になる。
【０１２０】
ここで、図１３を参照して、主制御用ＣＰＵ３０ａによって実行される先読みコマンド設定処理について説明する。この先読みコマンド設定処理は、各種乱数を参照した結果により特定された情報（各種乱数により特定された情報）として先読みコマンドを設定する処理である。また、先読みコマンド設定処理は、保留記憶数が上限数ではない状態において各始動入球装置１４，１５への遊技球の入賞を契機として、特別図柄入力処理の終了直後に実行される。この先読みコマンド設定処理は、特別図柄入力処理において各始動入球装置１４，１５への入賞に伴って取得された各種乱数が所定の判定値と一致するか否かを、該入賞に対応する図柄変動ゲームの実行よりも前に（事前に）判定する処理である。なお、本実施形態では、先読みコマンド設定処理を実行する主制御用ＣＰＵ３０ａが事前判定手段として機能する。
【０１２１】
最初に、主制御用ＣＰＵ３０ａは、図１３に示すように、保留記憶数が「４」である場合、大当り遊技中である場合など、規制条件が成立しているか否かを判定する（ステップＳ１０１）。この判定結果が肯定（規制条件が成立している）の場合、主制御用ＣＰＵ３０ａは、ステップＳ１０２，Ｓ１０３を実行させることなく、先読みコマンド設定処理を終了する。この判定結果が否定（規制条件が成立していない）の場合、主制御用ＣＰＵ３０ａは、ステップＳ１０２に移行する。
【０１２２】
ステップＳ１０２において、主制御用ＣＰＵ３０ａは、保留記憶数に対応する各種乱数を参照する。そして、主制御用ＣＰＵ３０ａは、参照結果に基づいて、主制御用ＲＡＭ３０ｃに先読みコマンドを設定し（ステップＳ１０３）、先読みコマンド設定処理を終了する。より詳しくは、主制御用ＣＰＵ３０ａは、始動保留球が記憶されたことを契機として、その始動保留球に対応付けて記憶された大当り判定用乱数に基づく大当り判定の判定前に、その始動保留球に対応付けて記憶された各種の乱数の値が所定の判定値と一致するか否かを判定することとなる。この先読みコマンドとは、各種乱数の参照に基づいて実行される図柄変動ゲームにおいて、参照結果と現在の保留記憶数とが特定可能なコマンドである。
【０１２３】
その後、先読みコマンド設定処理とは別の処理において、主制御用ＣＰＵ３０ａは、ステップＳ１０３において主制御用ＲＡＭ３０ｃに設定された先読みコマンドを所定のタイミングで演出制御基板３１（演出制御用ＣＰＵ３１ａ）に出力する。なお、本実施形態において、先読みコマンドを出力する場合には、その前に保留指定コマンドが出力されるように構成されている。
【０１２４】
ここで、図１４を参照して、ステップＳ１０２において実行される具体的な処理や、その参照結果に基づいて設定される具体的な先読みコマンドの種類について説明する。
まず、主制御用ＣＰＵ３０ａは、保留記憶数に対応して記憶されている大当り判定用乱数と確変フラグとから値を読み出し、確変状態が付与されているか否かに対応する大当り判定値と大当り判定用乱数の値が一致するか否かを判定する。
【０１２５】
主制御用ＣＰＵ３０ａは、大当り判定値と大当り判定用乱数の値が一致すると判定した場合、保留記憶数に対応して記憶されている特別図柄振分用乱数を読み出し、読み出した値に基づいて、大当りの種類を特定する。
【０１２６】
このように、大当り判定値と大当り判定用乱数の値が一致すると判定した場合、図１４（ａ）に示すように、特定された大当りの種類（図柄）と、保留記憶数とに基づいて、先読みコマンドが決定される。
【０１２７】
具体的な一例として、保留記憶数「２」における始動保留球に対応する各種乱数が参照され、大当り判定値と大当り判定用乱数の値が一致すると判定した場合において、１２Ｒ大当り（図柄ＺＡ）に当選したときには、先読みコマンド「ＥＡＨ０１Ｈ」が決定される。
【０１２８】
その一方で、主制御用ＣＰＵ３０ａは、大当り判定値と大当り判定用乱数の値が一致しないと判定した場合、保留記憶数に対応して記憶されているリーチ判定用乱数の値を読み出す。そして、主制御用ＣＰＵ３０ａは、その値が、リーチ判定値の最低限の取り得る範囲（「０」〜「１１」）であるか、リーチ判定値の最大範囲外（「２９」〜「２４０」）であるか、リーチ判定値の最低限の取り得る範囲外で最大範囲内（「１２」〜「２８」）であるかを特定する。つまり、主制御用ＣＰＵ３０ａは、リーチ状態が形成されることが確定しているか、リーチ状態が形成されないことが確定しているか、リーチ状態が形成されるか否かが確定していないかを特定する。
【０１２９】
このように、大当り判定値と大当り判定用乱数の値が一致しないと判定した場合、図１４（ｂ）に示すように、リーチ状態の形成に関する変動内容と、保留記憶数とに基づいて、先読みコマンドが決定される。
【０１３０】
具体的な一例として、保留記憶数「２」における始動保留球に対応する各種乱数が参照され、大当り判定値と大当り判定用乱数の値が一致しないと判定した場合において、リーチ判定用乱数が「１０」であるときには、先読みコマンド「ＥＢＨ０１Ｈ」が決定される。また、保留記憶数「３」における始動保留球に対応する各種乱数が参照され、大当り判定値と大当り判定用乱数の値が一致しないと判定した場合において、リーチ判定用乱数が「２５」であるときには、先読みコマンド「ＥＢＨ０６Ｈ」が決定される。また、保留記憶数「４」における始動保留球に対応する各種乱数が参照され、大当り判定値と大当り判定用乱数の値が一致しないと判定した場合において、リーチ判定用乱数が「５５」であるときには、先読みコマンド「ＥＢＨ０ＢＨ」が決定される。
【０１３１】
このように、各始動入球装置１４，１５への遊技球の入賞を契機として、該入賞に基づく図柄変動ゲームの開始前に、該入賞を契機に取得された各種乱数が事前に参照され、その参照した結果が特定可能な先読みコマンドが決定される。そして、このような先読みコマンドによって、大当りとなるか否か、大当りの種類、はずれとなるがリーチ状態が形成されることが確定しているか確定していないか、現在の保留記憶数が特定可能となる。
【０１３２】
次に、図１５を参照して、演出制御用ＣＰＵ３１ａによって実行される先読み演出決定処理について説明する。この先読み演出決定処理は、遊技球の始動入賞を契機として先読み演出を制御するための処理である。演出制御用ＣＰＵ３１ａは、本処理を所定周期毎に実行するようになっている。
【０１３３】
最初に、図１５に示すように、演出制御用ＣＰＵ３１ａは、先読みコマンドと、保留指定コマンドとが入力したか否かを判定する（ステップＳ２０１）。この判定結果が否定の場合（先読みコマンドと、保留指定コマンドとが入力しなかった）、演出制御用ＣＰＵ３１ａは、先読み演出決定処理を終了する。その一方で、この判定結果が肯定の場合（先読みコマンドと、保留指定コマンドとが入力した）、演出制御用ＣＰＵ３１ａは、先読みコマンドから保留記憶数を特定し、その保留記憶数に対応して先読みコマンドを記憶し、ステップＳ２０２に移行する。
【０１３４】
ステップＳ２０２において、演出制御用ＣＰＵ３１ａは、規制条件が成立しているか否かを判定する。この判定結果が肯定（規制条件が成立している）の場合、演出制御用ＣＰＵ３１ａは、先読み演出決定処理を終了する。この判定結果が否定（規制条件が成立していない）の場合、演出制御用ＣＰＵ３１ａは、ステップＳ２０３に移行する。
【０１３５】
なお、本実施形態における規制条件の一例としては、演出制御用ＣＰＵ３１ａは、演出制御用ＲＡＭ３１ｃに割り当てられた先読みフラグから値を読み出し、先読み演出の実行中であると判定された場合には、規制条件が成立していると判定する。この先読みフラグは、先読み演出が実行されているか否かを示す情報である。
【０１３６】
また、演出制御用ＣＰＵ３１ａは、入力した先読みコマンドにより指定された保留記憶数が「１」であると判定された場合には、先読み演出の連続実行（特定図柄変動ゲームにおける先読み演出を含む）を実現すべく、規制条件が成立していると判定する。
【０１３７】
また、演出制御用ＣＰＵ３１ａは、先読みコマンドの入力時に、実行中、保留中の全ての図柄変動ゲームにおいてはずれ演出用の変動パターンとなることが確定していない先読みコマンドが記憶されていると判定された場合には、非特定図柄変動ゲームにおけるリーチ演出の実行を規制すべく、規制条件が成立していると判定する。なお、本実施形態において、大当り遊技の終了後における図柄変動ゲームの実行回数に拘わらず、リーチ判定値の最大範囲外（「２９」〜「２４０」）であることを指定する先読みコマンドであるか否かによって、規制条件が成立しているか否かが判定される。
【０１３８】
また、演出制御用ＣＰＵ３１ａは、入球率向上状態から非入球率向上状態となってから実行された図柄変動ゲームの実行回数を計数し、所定回数（例えば４回）以内の図柄変動ゲームであると判定された場合には、規制条件が成立していると判定する。また、演出制御用ＣＰＵ３１ａは、大当り遊技の終了後に実行された図柄変動ゲームの実行回数を計数し、所定回数（例えば４回）以内の図柄変動ゲームであると判定された場合には、規制条件が成立していると判定する。また、演出制御用ＣＰＵ３１ａは、入力した先読みコマンドにより指定された保留記憶数と、作動回数とに基づいて、先読みコマンドが入力された時点で入球率向上状態であるが、その先読みコマンドに対応する図柄変動ゲームの実行が開始される時点で非入球率向上状態となる場合には、規制条件が成立していると判定する。具体的な一例としては、演出制御用ＣＰＵ３１ａは、作動回数が「２」であり、先読みコマンドにより指定された保留記憶数が「４」である場合には、規制条件が成立していると判定することとなる。なお、本実施形態において、入球率向上状態から非入球率向上状態となるときには、確変状態から非確変状態となるときでもあり、先読みコマンドが入力された時点で確変状態であるが、その先読みコマンドに対応する図柄変動ゲームの実行が開始される時点で非確変状態となる場合にも同じように規制条件が成立していると判定する。このように、遊技状態を変更させる可能性がある場合には、先読み演出の実行が規制されることとなる。
【０１３９】
ステップＳ２０３において、演出制御用ＣＰＵ３１ａは、入力された先読みコマンドに基づいて、先読み演出を実行させるか否かを決定する先読み演出抽選処理を実行する。特に、大当りに当選する場合には、大当りに当選しない（はずれとなる）場合よりも高い確率で、先読み演出の実行が決定される。特に、１２Ｒ大当り（図柄ＺＡ）に当選する場合には、２Ｒ大当り（図柄ＺＢ）に当選する場合よりも高い確率で、先読み演出の実行が決定される。
【０１４０】
そして、演出制御用ＣＰＵ３１ａは、先読み演出抽選に当選したか否かを判定する（ステップＳ２０４）。この判定結果が否定の場合（先読み演出抽選において当選していない）、演出制御用ＣＰＵ３１ａは、ステップＳ２０５〜Ｓ２０７を実行することなく、先読み演出決定処理を終了する。
【０１４１】
その一方で、この判定結果が肯定の場合（先読み演出抽選において当選した）、演出制御用ＣＰＵ３１ａは、入力された先読みコマンドに基づいて、各図柄変動ゲーム（非特定図柄変動ゲーム及び特定図柄変動ゲーム）において実行させる先読み演出の演出種別を決定する（ステップＳ２０５）。そして、演出制御用ＣＰＵ３１ａは、先読み演出の実行中となるため、先読みフラグを有効に設定し、ステップＳ２０６に移行する。なお、演出制御用ＣＰＵ３１ａは、先読み演出の実行が終了すると先読みフラグを無効に設定する。
【０１４２】
先読み演出の演出種別について具体的に説明すると、演出制御用ＣＰＵ３１ａは、入力された先読みコマンドが大当りとなるコマンドであるかはずれとなるコマンドであるかに応じて、先読み演出の演出種別を決定する。特に、演出制御用ＣＰＵ３１ａは、炎先読み演出及び保留先読み演出のほうが、雷光先読み演出、図柄停止先読み演出、及びキャラクタ先読み演出よりも特定図柄変動ゲームにおける大当り期待度が高くなるように先読み演出の演出種別を決定する。これによって、先読み演出の種別毎に、特定図柄変動ゲームにおける大当り期待度が示めされる。
【０１４３】
また、演出制御用ＣＰＵ３１ａは、２種類の先読み演出が実行される場合のほうが、それら２種類の先読み演出のうち何れか１種類の先読み演出が実行される場合よりも特定図柄変動ゲームにおける大当り期待度が高くなるように先読み演出の演出種別を決定する。これによって、先読み演出が重複実行されることによって、特定図柄変動ゲームにおける大当り期待度が高いことが示めされる。
【０１４４】
また、演出制御用ＣＰＵ３１ａは、大当りとなる先読みコマンドが入力される場合において、先読みコマンドにより指定された保留記憶数が大きいときには、小さいときよりも高い確率で、炎先読み演出、図柄停止先読み演出、キャラクタ先読み演出を実行させる先読み演出として決定する。これによって、炎先読み演出、図柄停止先読み演出、キャラクタ先読み演出において、先読み演出が実行される図柄変動ゲームの実行回数によって、特定図柄変動ゲームにおける大当り期待度が示されることとなる。
【０１４５】
ステップＳ２０６において、演出制御用ＣＰＵ３１ａは、先読み演出の種別毎に、各図柄変動ゲーム（非特定図柄変動ゲーム及び特定図柄変動ゲーム）における演出内容と演出実行時期とを決定する。特に、演出制御用ＣＰＵ３１ａは、先読み演出の演出内容によって特定図柄変動ゲームにおける大当り期待度を示す場合には、入力された先読みコマンドが大当りとなるコマンドであるかはずれとなるコマンドであるかに応じて、先読み演出の演出内容を決定する。一方、演出制御用ＣＰＵ３１ａは、先読み演出が実行される図柄変動ゲームの回数によって特定図柄変動ゲームにおける大当り期待度を示す場合には、実行回数に対応する先読み演出の演出内容を決定する。
【０１４６】
先読み演出の演出内容と演出実行時期について具体的に説明すると、保留先読み演出が実行される場合には、他の演出種別の先読み演出と重複実行するか否かに拘わらず、演出制御用ＣＰＵ３１ａは、先読みコマンドの入力に伴って保留先読み演出の実行を開始させると決定する。
【０１４７】
また、演出制御用ＣＰＵ３１ａは、入力された先読みコマンドが大当りとなるコマンドであるかはずれとなるコマンドであるかに応じて、先読み演出の演出内容を決定する。特に、演出制御用ＣＰＵ３１ａは、保留画像の表示色として赤色のほうが緑色よりも特定図柄変動ゲームにおける大当り期待度が高くなるように、緑色のほうが青色よりも特定図柄変動ゲームにおける大当り期待度が高くなるように先読み演出の演出内容を決定する。これによって、演出制御用ＣＰＵ３１ａは、始動入賞から特定図柄変動ゲームの実行が開始されるまで、大当り期待度を示す演出内容で保留先読み演出を実行させることを決定する。
【０１４８】
次に、図柄停止先読み演出が実行される場合には、他の演出種別の先読み演出と重複実行するか否かに拘わらず、演出制御用ＣＰＵ３１ａは、次回の図柄変動ゲームからの非特定図柄変動ゲームにおいて、各図柄変動ゲームの実行が開始されるタイミングを基準として、予め定められたタイミングで実行を開始させると決定する。
【０１４９】
また、演出制御用ＣＰＵ３１ａは、図柄停止先読み演出の実行が開始される図柄変動ゲームから順に、非特定図柄変動ゲーム毎に、図柄停止先読み演出が連続して実行される回数に対応する演出内容（桜画像の数等の表示態様）を決定する。これによって、演出制御用ＣＰＵ３１ａは、始動入賞以降に実行が開始される非特定図柄変動ゲームにおいて、特定図柄変動ゲームにおける大当り期待度を示す実行回数で図柄停止先読み演出を実行させることを決定する。
【０１５０】
次に、炎先読み演出が実行される場合には、図柄停止先読み演出と重複実行されるときを除き、演出制御用ＣＰＵ３１ａは、次回の図柄変動ゲームから特定図柄変動ゲームまでの図柄変動ゲームにおいて、それら図柄変動ゲームの実行が開始されるタイミングを基準として、予め定められたタイミングで実行を開始させると決定する。一方、炎先読み演出と図柄停止先読み演出とが重複実行される場合、演出制御用ＣＰＵ３１ａは、次々回の図柄変動ゲームから特定図柄変動ゲームまでの図柄変動ゲームにおいて、各図柄変動ゲームの実行が開始されるタイミングを基準として、予め定められたタイミングで実行を開始させると決定する。
【０１５１】
また、演出制御用ＣＰＵ３１ａは、炎先読み演出の実行が開始される図柄変動ゲームから順に、非特定図柄変動ゲーム及び特定図柄変動ゲーム毎に、炎先読み演出が連続して実行される回数に対応する演出内容（キャラクタ等の表示態様）を決定する。これによって、演出制御用ＣＰＵ３１ａは、始動入賞以降に実行が開始される非特定図柄変動ゲーム及び特定図柄変動ゲームにおいて、大当り期待度を示す実行回数で図柄停止先読み演出が実行されることを決定する。
【０１５２】
次に、雷光先読み演出が実行される場合には、炎先読み演出と重複実行されるときを除き、演出制御用ＣＰＵ３１ａは、次回の図柄変動ゲームから特定図柄変動ゲームまでの図柄変動ゲームにおいて、各図柄変動ゲームの実行が開始されるタイミングを基準として、予め定められた複数のタイミングのうち何れかで実行を開始させると決定する。一方、雷光先読み演出と炎先読み演出とが重複実行される場合、演出制御用ＣＰＵ３１ａは、次回の図柄変動ゲームから特定図柄変動ゲームまでの図柄変動ゲームにおいて、各図柄変動ゲームの実行が開始されるタイミングを基準として、予め定められた複数のタイミングのうち前のタイミングで実行を開始させると決定する。
【０１５３】
また、演出制御用ＣＰＵ３１ａは、入力された先読みコマンドが大当りとなるコマンドであるかはずれとなるコマンドであるかに応じて、先読み演出の演出内容を決定する。特に、演出制御用ＣＰＵ３１ａは、演出ランプＥＬの表示色として赤色のほうが緑色よりも特定図柄変動ゲームにおける大当り期待度が高くなるように、緑色のほうが青色よりも特定図柄変動ゲームにおける大当り期待度が高くなるように先読み演出の演出内容を決定する。これによって、演出制御用ＣＰＵ３１ａは、始動入賞から特定図柄変動ゲームの実行が開始されるまで、大当り期待度を示す演出内容で雷光先読み演出を実行させることを決定する。
【０１５４】
最後に、キャラクタ先読み演出が実行される場合について説明する。炎先読み演出又は雷光先読み演出と重複実行されるときを除き、演出制御用ＣＰＵ３１ａは、次回の図柄変動ゲームから特定図柄変動ゲームまでの図柄変動ゲームにおいて、各図柄変動ゲームの実行が開始されるタイミングを基準として、予め定められた複数のタイミングのうち何れかで実行を開始させると決定する。一方、キャラクタ先読み演出が炎先読み演出又は雷光先読み演出と重複実行される場合、演出制御用ＣＰＵ３１ａは、次回の図柄変動ゲームから特定図柄変動ゲームまでの図柄変動ゲームにおいて、各図柄変動ゲームの実行が開始されるタイミングを基準として、予め定められた複数のタイミングのうち前のタイミングで実行を開始させると決定する。
【０１５５】
また、演出制御用ＣＰＵ３１ａは、キャラクタ先読み演出の実行が開始される図柄変動ゲームから順に、非特定図柄変動ゲーム及び特定図柄変動ゲーム毎に、キャラクタ先読み演出が連続して実行される回数に対応する演出内容（キャラクタ等の表示態様）を決定する。これによって、演出制御用ＣＰＵ３１ａは、始動入賞以降に実行が開始される非特定図柄変動ゲーム及び特定図柄変動ゲームにおいて、大当り期待度を示す実行回数で図柄停止先読み演出が実行されることを決定する。
【０１５６】
ステップＳ２０７において、演出制御用ＣＰＵ３１ａは、ステップＳ２０５，Ｓ２０６において決定された決定結果を示す情報を、各図柄変動ゲームに対応するように演出制御用ＲＡＭ３１ｃに設定する。また、演出制御用ＣＰＵ３１ａは、各図柄変動ゲームに対応するように特定図柄変動ゲームであるか非特定図柄変動ゲームであるかが特定可能となる情報も合わせて設定する。そして、演出制御用ＣＰＵ３１ａは、先読み演出決定処理を終了する。
【０１５７】
このように、演出制御用ＣＰＵ３１ａは、先読みコマンドに基づいて、特定図柄変動ゲームにおける大当り期待度を示す先読み演出を、非特定図柄変動ゲームの少なくとも何れかで実行させるか否かを決定する。そして、演出制御用ＣＰＵ３１ａは、先読み演出を実行させると決定した場合、先読み演出の種別のうち何れかを決定するとともに、決定された先読み演出の種別に含まれる複数種類の演出内容から何れかを決定する。なお、本実施形態において、先読み演出を実行させるか否かを決定する演出制御用ＣＰＵ３１ａが事前予告演出決定手段として機能する。
【０１５８】
その後、この先読み演出決定処理とは別の処理において、演出制御用ＣＰＵ３１ａは、先読み演出に関する情報に基づいて、先読み演出を実行させるための画像を演出表示装置１１に表示させる制御や演出ランプＥＬを点灯させる制御を行う。特に、演出制御用ＣＰＵ３１ａは、先読み演出を実行させると決定された場合、非特定図柄変動ゲームの少なくとも何れかにおいて、始動入賞のタイミングや図柄変動ゲームの実行の開始を基準としたタイミングで、先読み演出を実行させる制御を行う。
【０１５９】
具体的に、演出制御用ＣＰＵ３１ａは、雷光先読み演出、図柄停止先読み演出、又はキャラクタ先読み演出と、大当り期待度が高い種別である炎先読み演出とを重複して実行されると決定した場合には、雷光先読み演出、図柄停止先読み演出、又はキャラクタ先読み演出の実行開始よりも後に、炎先読み演出の実行を開始させる。
【０１６０】
特に、演出制御用ＣＰＵ３１ａは、雷光先読み演出又はキャラクタ先読み演出と、炎先読み演出とを重複して実行されると決定した場合には、炎先読み演出の実行開始タイミングよりも前のタイミングと後のタイミングとのうち、前のタイミングで、雷光先読み演出又はキャラクタ先読み演出の実行を開始させる制御を行う。なお、演出制御用ＣＰＵ３１ａは、雷光先読み演出又はキャラクタ先読み演出が、炎先読み演出と重複して実行されないと決定した場合には、炎先読み演出の実行開始タイミングよりも前のタイミングと後のタイミングとの何れかで、雷光先読み演出又はキャラクタ先読み演出の実行を開始させる制御を行う。
【０１６１】
また、演出制御用ＣＰＵ３１ａは、図柄停止先読み演出と炎先読み演出とを重複して実行されると決定した場合には、図柄停止先読み演出の実行が開始される図柄変動ゲームよりも後に行われる図柄変動ゲームの予め定められたタイミングで、炎先読み演出の実行を開始させる。一方、演出制御用ＣＰＵ３１ａは、炎先読み演出と保留先読み演出とを実行させると決定された場合、炎先読み演出の実行の開始と、保留先読み演出の実行の開始との順序を変更させる制御を行わない。
【０１６２】
以上詳述したように、本実施形態は、以下の効果を有する。
（１）先読み演出には、雷光先読み演出、図柄停止先読み演出、キャラクタ先読み演出などの特定図柄変動ゲームにおける大当り期待度が低い先読み演出と、炎先読み演出などの特定図柄変動ゲームにおける大当り期待度が高い先読み演出とが含まれている。特定図柄変動ゲームにおける大当り期待度が低い先読み演出と、特定図柄変動ゲームにおける大当り期待度が高い先読み演出とを実行させると決定された場合に、大当り期待度が低い先読み演出の実行の開始よりも後に大当り期待度が高い先読み演出の実行を開始させる。このため、大当り期待度が低い先読み演出よりも、大当り期待度が高い先読み演出のほうが後に実行が開始され、段階的に大当り期待度が高まるように先読み演出の実行が開始されることとなり、遊技に対する興趣の向上を図ることができる。
【０１６３】
（２）雷光先読み演出やキャラクタ先読み演出が実行されるが、炎先読み演出と重複しないと決定された場合には、炎先読み演出の実行開始タイミングよりも前のタイミングと後のタイミングとの何れかで、雷光先読み演出やキャラクタ先読み演出が実行される。一方、雷光先読み演出やキャラクタ先読み演出と、炎先読み演出とが重複して実行されると決定された場合には、炎先読み演出の実行開始タイミングよりも前のタイミングで、雷光先読み演出やキャラクタ先読み演出が実行される。このため、雷光先読み演出やキャラクタ先読み演出の実行開始タイミングに多様性も持たせることができるとともに、雷光先読み演出やキャラクタ先読み演出よりも炎先読み演出のほうが後に実行が開始され、段階的に大当り期待度が高まるように先読み演出の実行が開始されることとなり、遊技に対する興趣の向上を図ることができる。
【０１６４】
（３）図柄変動ゲームにおける所定時期を基準として、図柄停止先読み演出の実行開始タイミングが予め定められており、そのタイミングよりも前となるように炎先読み演出の実行開始タイミングが予め定められている。炎先読み演出と図柄停止先読み演出とが実行されると決定された場合には、図柄停止先読み演出の実行が開始される図柄変動ゲームよりも後に行われる図柄変動ゲームの予め定められた実行開始タイミングで、炎先読み演出の実行が開始される。このため、各実行開始タイミングに多様性も持たせることができるとともに、図柄停止先読み演出よりも炎先読み演出のほうが後に実行が開始され、段階的に大当り期待度が高まるように先読み演出の実行が開始されることとなり、遊技に対する興趣の向上を図ることができる。
【０１６５】
（４）特定図柄変動ゲームにおける大当り期待度が高い複数種類の先読み演出には、炎先読み演出以外に、保留先読み演出が含まれており、炎先読み演出と保留先読み演出とを実行させると決定された場合、炎先読み演出の実行の開始と、保留先読み演出の実行の開始との順序を変更させる制御が行われない。このため、特定図柄変動ゲームにおける大当り期待度が高い炎先読み演出と保留先読み演出とのうち何れの先読み演出の実行の開始が先であってもよいように制御でき、先読み演出の実行開始タイミングに多様性を持たせることができ、遊技に対する興趣の向上を図ることができる。
【０１６６】
（５）図柄変動ゲームにおける所定時期を基準として、炎先読み演出の実行が開始される実行開始タイミングが予め定められており、始動入賞を契機として、保留先読み演出の実行が開始可能に制御される。このため、実行開始タイミングが予め定められている炎先読み演出と、始動入賞を契機として実行が開始可能な保留先読み演出とでは、その実行の開始の順序を変更させることなく、何れの先読み演出の実行が先であってもよいように制御できる。したがって、先読み演出の実行開始タイミングに多様性を持たせることができ、遊技に対する興趣の向上を図ることができる。
［第２実施形態］
次に、本発明を具体化した第２実施形態について説明する。なお、以下の説明では、既に説明した実施形態と同一構成及び同一制御内容について同一符号を付すなどし、その重複する説明を省略又は簡略する。
【０１６７】
第１実施形態では、先読み演出の演出種別毎に特定図柄変動ゲームにおける大当り期待度が規定されており、特定図柄変動ゲームにおける大当り期待度が低い演出種別の先読み演出の実行を開始させた後に、特定図柄変動ゲームにおける大当り期待度が高い演出種別の先読み演出の実行を開始させるように構成した。しかし、第２実施形態では、先読み演出の演出種別に含まれる演出内容毎に特定図柄変動ゲームにおける大当り期待度が規定されている。そして、それぞれ演出種別が異なる先読み演出の重複実行が決定された場合に、特定図柄変動ゲームにおける大当り期待度が低い演出内容の先読み演出の実行を開始させた後に、特定図柄変動ゲームにおける大当り期待度が高い演出内容の先読み演出の実行を開始させるように構成した。
【０１６８】
具体的な一例としては、演出ランプＥＬが緑色で点灯する雷光先読み演出よりも、３回連続して実行される炎先読み演出のほうが、特定図柄変動ゲームにおける大当り期待度が高くなるように規定されている。そして、このような炎先読み演出と雷光先読み演出とが重複実行されると決定された場合、雷光先読み演出の実行が開始された後に、炎先読み演出が実行される。
【０１６９】
一方、２回連続して実行される炎先読み演出よりも、演出ランプＥＬが赤色で点灯する雷光先読み演出のほうが、特定図柄変動ゲームにおける大当り期待度が高くなるように規定されている。そして、このような炎先読み演出と雷光先読み演出とが重複実行されると決定された場合、炎先読み演出の実行が開始された後に、雷光先読み演出が実行される。
【０１７０】
つまり、演出種別がそれぞれ異なる先読み演出を重複して実行させると決定された場合、演出制御用ＣＰＵ３１ａは、それぞれの演出内容のうち、大当り期待度が低い演出内容となる先読み演出の実行の開始よりも後に、大当り期待度が高い演出内容となる先読み演出の実行を開始させる制御を行うこととなる。
【０１７１】
以上詳述したように、第２実施形態は、第１実施形態における（１）〜（５）の効果に加えて、以下の効果を有する。
（６）演出種別としてそれぞれ異なる先読み演出の重複実行が決定された場合に、一方の演出種別における先読み演出の演出内容と、他方の演出種別における先読み演出の演出内容とのうち、大当り期待度が低い演出内容となる先読み演出の実行の開始よりも後に、大当り期待度が高い演出内容となる先読み演出の実行を開始させる制御が行われる。このため、演出種別が異なる先読み演出における演出内容によって、大当り期待度が低い演出内容となる先読み演出よりも、大当り期待度が高い演出内容となる先読み演出のほうが後に実行が開始され、段階的に大当り期待度が高まるように先読み演出の実行が開始されることとなり、遊技に対する興趣の向上を図ることができる。
【０１７２】
尚、上記実施形態は、次のような別の実施形態（別例）にて具体化できる。
・上記実施形態において、各種の先読み演出を実行させたが、これに限らず、何れかの先読み演出を実行させなくてもよく、他の先読み演出を実行させてもよい。
【０１７３】
・上記実施形態において、例えば、始動入賞を契機とする先読み演出、図柄変動ゲームの実行開始を基準とする先読み演出のうち少なくとも何れかであってもよく、図柄変動ゲームの実行終了を基準とする先読み演出であってもよい。つまり、図柄変動ゲームにおける所定時期を基準として先読み演出の実行開始タイミングが決定されてもよい。
【０１７４】
・上記実施形態において、例えば、演出内容によって特定図柄変動ゲームにおける大当り期待度を示す先読み演出、実行回数によって特定図柄変動ゲームにおける大当り期待度を示す先読み演出のうち少なくとも何れかであってもよい。
【０１７５】
・上記実施形態において、例えば、非特定図柄変動ゲームと特定図柄変動ゲームとで先読み演出が実行されても、特定図柄変動ゲームで先読み演出が実行されずに非特定図柄変動ゲームに限って先読み演出が実行されてもよい。また、例えば、非特定図柄変動ゲームの少なくとも何れかで先読み演出が実行されればよく、必ずしも連続する複数回の非特定図柄変動ゲームで先読み演出が実行されなくてもよく、更には、１回の非特定図柄変動ゲームで先読み演出が実行されてもよい。
【０１７６】
・上記実施形態において、例えば、始動入賞の次回の図柄変動ゲームから先読み演出が実行される先読み演出であっても、次々回以降の図柄変動ゲームから先読み演出が実行される先読み演出であってもよく、更にはこれらを抽選によって決定するように制御してもよい。
【０１７７】
・上記実施形態において、例えば、特定図柄変動ゲームが特定困難なように先読み演出が実行されてもよく、保留画像を変化させるなど、特定図柄変動ゲームが特定可能なように先読み演出が実行されてもよい。
【０１７８】
・上記実施形態において、例えば、先読み演出を実行させるか否かを決定した後に、実行させる先読み演出の演出種別を決定したが、これに限らず、例えば、先読み演出を実行させるか否かと、実行させる先読み演出の演出種別との両方を同じテーブル等によって決定してもよい。
【０１７９】
・上記実施形態において、例えば、先読み演出の実行開始タイミングを決定した後に、先読み演出の演出内容を決定してもよく、先読み演出の演出内容を決定した後に、先読み演出の実行開始タイミングを決定してもよい。また、例えば、先読み演出の実行開始タイミングと、先読み演出の演出内容とを別々に決定しなくても、先読み演出の実行開始タイミングと、先読み演出の演出内容との両方を同じテーブル等によって決定してもよい。
【０１８０】
・上記実施形態において、炎先読み演出と図柄停止先読み演出とを重複実行させる場合に、始動入賞された図柄変動ゲームの次回の図柄変動ゲームにおいて図柄停止先読み演出の実行が開始され、次々回の図柄変動ゲームにおいて炎先読み演出の実行が開始されたが、これに限らない。例えば、始動入賞された図柄変動ゲームにおいて図柄停止先読み演出の実行が開始され、次回の図柄変動ゲームにおいて炎先読み演出の実行が開始されてもよい。つまり、炎先読み演出の実行開始タイミングを遅らせても、図柄停止先読み演出の実行開始タイミングを早めてもよい。
【０１８１】
・上記実施形態において、特定図柄変動ゲームにおける大当り期待度が低い先読み演出の実行開始タイミングよりも後に、特定図柄変動ゲームにおける大当り期待度が高い先読み演出の実行開始タイミングが決定されたが、これに限らない。例えば、抽選などの所定の確率で、各先読み演出の実行開始タイミングが決定されればよく、特定図柄変動ゲームにおける大当り期待度が低い先読み演出の実行開始タイミングよりも後に、特定図柄変動ゲームにおける大当り期待度が高い先読み演出の実行開始タイミングが決定され易くなるように制御されれば好ましい。
【０１８２】
・上記実施形態において、例えば、大当りの種類が異なってもよい。また、例えば、大当りに当選した場合に、大当り遊技の終了後に必ずしも確変状態や入球率向上状態が生起されなくてもよい。また、例えば、確変状態や入球率向上状態について図柄変動ゲームの上限回数が規定されなくてもよい。
【０１８３】
・上記実施形態において、１種類の図柄変動ゲームが実行されたが、これに限らず、例えば、２種類以上の図柄変動ゲームが実行されてもよい。
・上記実施形態において、演出表示装置１１における画像を表示させて各種演出が実行されたが、これに限らず、例えば、音声の出力、ランプの点灯、可動体の変位、振動体の振動などにより各種演出を実行させてもよく、これらの組み合わせであってもよい。
【０１８４】
次に、上記実施形態及び別例から把握できる技術的思想を以下に追記する。
（イ）前記事前予告演出決定手段は、前記事前予告演出を実行させると決定した場合、事前予告演出の種別のうち何れかを決定するとともに、決定された事前予告演出の種別に含まれる複数種類の演出内容から何れかを決定し、前記演出制御手段は、前記事前予告演出決定手段によって前記事前予告演出の種別として、第１事前予告演出と、前記第１事前予告演出とは種別が異なる第２事前予告演出とを実行させると決定された場合に、前記第１事前予告演出の演出内容と前記第２事前予告演出の演出内容とのうち、大当り期待度が低い演出内容となる事前予告演出の実行の開始よりも後に、大当り期待度が高い演出内容となる事前予告演出の実行を開始させる制御を行うことを特徴とする。
【０１８５】
（ロ）前記事前予告演出決定手段は、前記事前予告演出を実行させると決定した場合、事前予告演出の種別のうち何れかを決定するとともに、決定された事前予告演出の種別に含まれる複数種類の演出内容から何れかを決定し、前記演出制御手段は、前記事前予告演出決定手段によって前記事前予告演出の種別として、第１事前予告演出と、前記第１事前予告演出とは種別が異なり前記第１事前予告演出よりも大当り期待度が高い第２事前予告演出とを実行させると決定された場合に、前記第１事前予告演出の実行の開始よりも後に前記第２事前予告演出の実行を開始させる制御を行うことを特徴とする。
【０１８６】
（ハ）図柄変動ゲームにおける所定時期を基準として、前記第２事前予告演出の実行が開始される第２実行開始時期が予め定められており、前記演出制御手段は、前記始動手段への遊技球の入球を契機として、前記第３事前予告演出の実行を開始可能に制御することを特徴とする。
【符号の説明】
【０１８７】
ＥＬ…演出ランプ、１０…パチンコ遊技機、１１…演出表示装置（演出実行手段、画像表示手段）、１２…特別図柄表示装置（表示手段）、１４…第１始動入球装置（始動手段）、１５…第２始動入球装置（始動手段）、１８…大入賞装置、３０…主制御基板、３０ａ…主制御用ＣＰＵ（乱数取得手段、大当り判定手段）、３０ｃ…主制御用ＲＡＭ（保留記憶手段）、３１…演出制御基板、３１ａ…演出制御用ＣＰＵ（演出制御手段、事前予告演出決定手段）。
【図１】
0006030516.tif 000002
【図２】
0006030516.tif 000003
【図３】
0006030516.tif 000004
【図４】
0006030516.tif 000005
【図５】
0006030516.tif 000006
【図６】
0006030516.tif 000007
【図７】
0006030516.tif 000008
【図８】
0006030516.tif 000009
【図９】
0006030516.tif 000010
【図１０】
0006030516.tif 000011
【図１１】
0006030516.tif 000012
【図１２】
0006030516.tif 000013
【図１３】
0006030516.tif 000014
【図１４】
0006030516.tif 000015
【図１５】
0006030516.tif 000016